(57)【特許請求の範囲】
【請求項１】
全電圧連続定格の寸法、構造、強度の増大なく電機子絶縁及び整流子の強化により２倍電圧短時定格を付加した直流分巻整流子電動機と、直流電源の定電圧の下で電機子の並列接続で該電動機が２倍電圧で働き、全界磁の下で降圧・昇圧チョッパによる電機子制御の定トルク域及び界磁制御による垂下トルク域を、電動・回生とも同様に２倍速度に拡張して短時で加速・減速を行い、且つ電機子の直列接続で該電動機が全電圧で働き、界磁制御の垂下トルク域で定速定常走行するよう構成の電子制御回路及び運転操作装置とを配して構成した、電動車両の動力装置。
【請求項２】
全電圧連続定格の機・電両面の設計を変えずにルート３倍電圧短時定格を付加した誘導機にインバータを組合せた直流無整流子電動機と、直流電源の定電圧の下で電機子巻線のデルタ接続で該電動機がルート３倍電圧で働き、降圧・昇圧チョッパによる可変電圧制御とインバータの可変周波数制御による定トルク域及び電機子巻線の定電圧・可変周波数制御による垂下トルク域を電動・回生とも同様にルート３倍速度に拡張して短時で加速・減速を行い、且つ電機子巻線のスター接続で該電動機が全電圧で働き定電圧・可変周波数制御の垂下トルク域で定速定常走行するよう構成の電子制御回路及び運転操作装置とを配して構成した、電動車両の動力装置。
【発明の詳細な説明】
【０００１】
【産業上の利用分野】
本発明は、電動客車や電気機関車の如き、電動機で走行する車両（以下、電動車両と呼ぶ）の動力装置に関するものである。
【０００２】
【従来の技術】
一般に、鉄道の車両の運転は、加速・力行を原動機で、減速・制動を各車輪の摩擦ブレーキ（以下、車輪ブレーキと呼ぶ）で行なっており、運行時間効率を向上するため、走行速度を上げるとともに、加速・減速を速やかに行なうよう、車体の軽量化と原動機の容量及びブレーキの性能が増強され、電動車両は、その性能が最も良いので、幹線や市街・近郊の主要線区に使用されている。
【０００３】
電動車両は、電動機の発電機能を利用した発電ブレーキで減速・制動及び降坂・抑速が可能であり、また、その発電電力を架線・変電所に返流する回生ブレーキも採用されるに至っている。
【０００４】
【発明が解決しようとする課題】
鉄道の車両は、走行抵抗は小さいが慣性抵抗が大きいので、加速に大半の動力を消費し、その動力で得た車両の運動のエネルギを減速・制動では、車輪ブレーキの摩擦や発電ブレーキの制御抵抗器で熱に変えて放散しており、その慣性抵抗によるエネルギ損失は、各駅停車の運転では特に大きく、各駅間の運転サイクルの消費エネルギの大半に及び、また、登坂力行では勾配抵抗で大きな動力を要し、その動力で得た位置のエネルギを降坂抑速で、車輪ブレーキや発電ブレーキで熱放散しており、そのエネルギ損失は中勾配区間においても消費エネルギの大半に及ぶ。
【０００５】
発進・加速時の突入過負荷電流では、架線の導体抵抗及び変電所の機器での電圧降下が大きく、特に高密度運行の区間では定格電圧の２０％以上に及ぶことがあり、それが架線の電力損失として上記のエネルギ損失に加わるとともに、車両の運転特性に影響し、回生ブレーキにおいても同様に電力損失となるので、上述の消費エネルギの大半を占める運動・位置のエネルギを効率よく回収するに至っておらず、また、回生ブレーキの返流電力の処理には、変電所に逆変換装置の併設が必要である。
【０００６】
強力な定トルク加速は電動機全界磁の中速域（例えば50km／h）までで、高速域（例えば80〜125km／h）へは界磁を弱めて（例えば60〜40%界磁）加速するが、弱め界磁では電機子反作用による電機子の過電流耐量の低下のため、加速トルクは速度の2乗に逆比例の垂下特性となり、速度と共に増加する車両の走行抵抗での減殺もあって加速度が急に小さくなり加速時間・距離が伸びるので、特に各駅停車の車両では運転速度を上げることができず、その加速度を上げるには電動機のみならず架線や変電所の容量増大の必要或いは損失増大に及ぶ。
【０００７】
最近開発・採用された可変周波数インバータと交流誘導電動機（以下、誘導機と呼ぶ）より成る直流無整流子電動機においても、電圧・周波数とも可変制御の強力な定トルク域は上記と同様に中速までであり、全電圧（即ち定電圧）・可変周波数制御の高速域では、最大トルク即ち過負荷耐量は周波数即ち速度の２乗に逆比例するため加速トルクは垂下特性となり、上記と同様な問題がある。
【０００８】
このような問題に対して、特開昭５０‐１１１５１６「複数個の直流直巻電動機の回生制動回路」、特開昭５０‐１１９９２０「直流電動機の回生ブレーキ制御装置」、特公昭５０‐３９８８７「電気車のチョッパ制御装置」及び特開昭５５‐５３１０１「交流電気車の主回路」により、主に直流直巻電動機での発電制御で高速域まで強化した回生ブレーキが提案されているが、直流線区では近接車両の動力変動及び変電所に併設の逆変換装置が、交流線区では車両内の変電回路の逆変換装置が、突入過負荷を伴う回生電力に充分且つ確実に対応できないため、それらの提案が充分活用されるに至っておらず、未だに発電ブレーキと共に車輪ブレーキ（エヤブレーキ）を補助する電空併用ブレーキが主流であり、また、電動トルクは上述と同様に高速域では垂下特性で頗る小さく、加速・減速（電動・回生）を総合した運転性能の向上と全回生電力の回収に至っていない。
【０００９】
一般に車両は、各駅間で、発進−加速−力行−惰行−減速−停止または発進−加速−定常走行−減速−停止の運転サイクルを、運行区間の登・降坂を伴って繰り返すが、車両運転に伴う主な抵抗は、車輪の転がり抵抗と車体の空気抵抗を合わせた走行抵抗Ｆv （なお、曲線路では車輪のフランジとレールとの摩擦による曲線抵抗が加わる）、加速・減速に伴う慣性抵抗Ｆi 及び登・降坂に伴う勾配抵抗Ｆs であり、走行抵抗Ｆv は常に正（＋）の値を取るが、慣性抵抗Ｆi 及び勾配抵抗Ｆs は加速時や登坂時に正（＋）、減速時や降坂時に負（−）の値を取り、走行距離Ｓにおいて、駅間の運転サイクル毎の慣性仕事量Ｗi ＝Σ（Ｆi ＊ΔＳ）は運動のエネルギとして、運行区間の往復サイクル毎の登・降坂仕事量Ｗs ＝Σ（Ｆs ＊ΔＳ）は位置のエネルギとして、それぞれ相殺されてゼロになる無効動力（交流電力の無効成分に比喩）の如く働き、走行抵抗分の仕事量Ｗv ＝Σ（Ｆv ＊ΔＳ）が、車両の運転に最低限必須の実効動力（交流電力の有効成分に比喩）として働くことになる。
【００１０】
なお登・降坂を伴う運行区間において、途中駅の乗降客や通勤・通学者の朝・夕の一方向移動があり、往復サイクル毎の登・降坂仕事量Ｗs は、載荷重の不等分として正（＋）あるいは負（−）の値が残るが、その値は、車両の自重分に比べ遥かに小さく、全日サイクル（日毎の複数の往復サイクル）では、両方向移動として正・負相殺されると考えてよい。
【００１１】
上記の如き無効動力の正（＋）側は、実効動力とともに電動機の電動機能による牽引力Ｆd ＝Ｆi ＋Ｆv で与えられ、負（−）側は、実効動力を差し引いて電動機の発電機能による制動力Ｆb ＝Ｆi −Ｆv の回生ブレーキで回収されるが、電動機や制御装置を含む車両の電力回路及び架線や変電所の導体抵抗による電力損失即ち銅損が、平地定常走行の実効動力に比し遥かに大きな加・減速や登・降坂の無効動力において、電力回収効率を損ずる主要因となる。
【００１２】
なお、運転サイクルの大半あるいは大部分の時間を占める定常走行で、平坦路や緩勾配路では、電動機や変電所は半負荷や４半負荷の如き著しい軽負荷のため銅損は小さいが、鉄損や励磁電力等の無負荷損失のため、電力効率はかなり低い。
【００１３】
本発明は、上述の問題に鑑み、電動車両の動力装置の改善で以て、車両、架線及び変電所の総合効率を向上し電力消費を低減するとともに、車両の運転性能を向上するものである。
【００１４】
【課題を解決するための手段】
上述の目的を達成するために、本発明の電動車両の動力装置においては、本願の出願者が発明の特開平９−２８９７０３「電動車両の動力・給電装置」及び特開平１０−６６２０４「気動・電動車両の動力装置」に記載の、車両内設置の蓄電装置の充・放電回路を改良し、発進・加速の過負荷には主に蓄電電力を、加速終期及び力行の定常負荷には架線電力を当て、減速・制動及び降坂抑速では回生ブレーキによる全回生電力を、受電回路に挿入したダイオードで架線への逆流を阻止して蓄電装置に充電回収する機能と共に、基本定格の全電圧連続定格の電動機に倍電圧短時定格を付加して倍電圧で働かせ、電動・回生とも定トルク域を含む強力なトルク特性を高速側に拡張し、高速域のトルクを強化した動力装置を提供する。
【００１５】
上記の機構を実現するために、車両内の動力単位毎に、まず、チョッパ及びそれを挟んで２個のリアクトルを制御主要素として配し、入力リアクトルとチョッパとの接続点と負極線（接地線）との間に還流ダイオードと平滑コンデンサの直列回路を、出力リアクトルの入力側と負極線との間に還流ダイオードを、それぞれ配し、また、入力リアクトル用還流ダイオードに並列及びチョッパと出力リアクトルとの間に、共通のアクチュエータ（Actuator）を持つ接触器（以下、主制御接触器と呼ぶ）を、チョッパの出力側と負極線との間及び入力リアクトル用還流ダイオードと平滑コンデンサとの接続点と出力リアクトルの入力側との間に、共通のアクチュエータを持つ接触器（以下、副制御接触器と呼ぶ）を、それぞれ配して電子制御回路を構成する。
【００１６】
この電子制御回路は、要約すれば、主制御接触器により、チョッパ、出力リアクトル及びその還流ダイオードで降圧チョッパ回路と、入力リアクトル及び平滑コンデンサでろ波回路をそれぞれ構成し、副制御接触器により、チョッパ、入力リアクトル及びその還流ダイオードで昇圧チョッパ回路と、平滑コンデンサ及び出力リアクトルでろ波回路をそれぞれ構成したものであり、後述の蓄電側接触器及び電機側接触器を介して蓄電調整及び電動機の電機子制御に供する。
【００１７】
チョッパは、高周波数作動において転流損失が極めて小さい制御素子で構成し、入・出力両リアクトルは、突入過負荷電流においても昇・降圧チョッパ制御に充分なリアクタンスを持ち且つ銅損及び鉄損が極めて小さいものとし、なお、電子制御回路の入力側及び出力側と負極線との間に、バリスタの如き過渡サージ電圧吸収素子をそれぞれを配する。
【００１８】
次に、電子制御回路の入力側を接触器及びダイオード（以下、それぞれ受電接触器及び受電ダイオードと呼ぶ）を介して架線電力の受電回路に接続し、また、該電子制御回路の入力側及び出力側に各々２個の接触器を配してブリッジ回路を形成し、各対角点（入力・出力側両接触器の接続点）に蓄電回路及び電動機回路をそれぞれ高速回路遮断器を介して接続し（以下、それぞれ１対の両接触器を蓄電側・電機側接触器と呼ぶ）、電力制御回路を構成する。
【００１９】
動力単位は、電動機の個数や接触器・チョッパ・ダイオード・リアクトル等の回路要素の単機容量を考慮して構成し、電動客車では、動力車１両を１動力単位とし、電気機関車では、車両毎あるいは特に大出力の場合は台車毎等のように複数の動力単位に分割してもよい。
【００２０】
蓄電装置は、突入・重負荷で急速且つ高頻度の充・放電においても、電力損失が極めて小さく劣化しない大容量蓄電器の採用が望ましく、各々蓄電要素にヒューズ付き断路器を配してその複数組を並列接続し、それに断路器を付して１蓄電単位を構成し、回路遮断器を介して１動力単位に給電、なお、単位列車編成の全車両に均圧線と断路器を配して、隣接動力単位の蓄電単位と連結接続する。
【００２１】
電動機は、電動・発電とも同一の電圧極性で作動し、励磁制御が容易且つ正・負トルク特性が速度軸についてほぼ対称な直流分巻整流子電動機を、或いは誘導機に還流ダイオードブリッジ併設のインバータ（以下、特記の他、インバータと呼ぶ）を組合わせた直流無整流子電動機を使用し、電機子又は電機子巻線の接続切替回路と界磁の励磁制御及び正・逆転切替え回路を配して、降・昇圧チョッパにより正・負両負荷に対応する電機子制御機能を持つ上述の電子制御回路に接続し、下記のような電動機制御装置を構成する（誘導機使用の直流無整流子電動機の場合は、降・昇圧チョッパとインバータの電圧・周波数とも可変で以って、正・負ほぼ対称の定トルク特性の電機子制御機能を成す）。
【００２２】
電力制御回路の蓄電回路側から回路遮断器で分岐して、チョッパ及び還流ダイオードを配して電動機の界磁制御に供し、そのチョッパには、加・減速時の定トルク域の全励磁及び垂下トルク域の直巻特性と、定常走行時の定速の分巻特性の界磁制御機能を併せ持たせる（誘導機使用の直流無整流子電動機の場合は、インバータの定電圧・可変周波数でもって、直流分巻整流子電動機と同様な正・負ほぼ対称な垂下トルク及び定速特性の界磁制御機能を成す)。
【００２３】
全電圧連続定格の寸法・構造・強度の増大なく電機子絶縁及び整流子の強化により2倍電圧短時定格を付加した直流分巻整流子電動機と、架線などの直流電源の定電圧の下で、電機子の並列接続で該電動機が2倍電圧で働き、全界磁の下で降圧・昇圧チョッパによる電機子制御の定トルク域及び界磁制御による垂下トルク域を電動・回生とも2倍速度に拡張したトルク特性で短時で加速・減速を行い、且つ電機子の直列接続で該電動機が全電圧で働き界磁制御の垂下トルク域で定速定常走行するよう構成の電子制御回路とを配して、電動車両の動力装置を構成する。
【００２４】
全電圧連続定格の機・電両面の設計を変えずにルート３（３の平方根＝1.732、以下特記の他1.732と記す）倍電圧短時定格を付加した、誘導機にインバータを組合わせた直流無整流子電動機と、架線などの直流電源の定電圧の下で電機子巻線のデルタ（以下、Δと記す）接続で該電動機が1.732倍電圧で働き降圧・昇圧チョッパによる可変電圧制御とインバータによる可変周波数制御の定トルク域及び該電機子巻線の定電圧の下で可変周波数制御による垂下トルク域を電動・回生とも1.732倍速度に拡張して短時で加速・減速を行い、且つスター（以下、Yと記す）接続で該電動機が全電圧で働き定電圧・周波数制御の垂下トルク域で定速定常走行するよう構成の電子制御回路及び運転操作装置とを配して、電動車両の動力装置を構成する。
−以上−
【００２５】
上述の直流分巻整流子電動機の直列接続電機子の2組に、或いは上述の電機子巻線スター接続の直流無整流子電動機の2台の直流側に、更に直・並列接続切替回路を配してそれぞれ全直列と直並列接続或いはスター直列（以下、Ｙ直列と記す）とスター並列（以下、Ｙ並列と記す）接続を形成し、直並列或いはスター並列接続で該電動機を全電圧で働かせた定トルク域を含む強トルク域での加速及び減速と、所定の運転速度で全直列或いはスター直列接続に切替えて該電動機を半電圧で働かせた垂下トルク域で中速定常走行も可能に、電動機制御装置を構成する。
【００２６】
同期電動機（以下、同期機と呼ぶ）にサイリスタを組合わせた直流無整流子電動機は、誘導機にインバータを組合わせた直流無整流子電動機と同様な電機子巻線接続切替回路と、直流分巻整流子電動機と同様な界磁制御回路を配して、上述［００２１］、［００２２］と同様に働くものであり、詳細は参考として後述する。
【００２７】
運転室に配した、主幹制御器は、操作レバーを横に０、１、２、３の操作ノッチを有し、０ノッチは「切」、１ノッチは低速運転、２ノッチは中速運転、３ノッチは高速運転に使用、１、２、３各速段ノッチとも前に押して加速、後に引いて減速、中立で定常走行の制御機能を、なお、該レバー頭部のボタンに高速短時倍出力機能を、キーレバーは、「前進」、「切」、「後進」の操作ノッチを、それぞれ持ち、また、車輪ブレーキ操作用空気弁は、「制動」、「保持」、「解除」の操作位置を持つ。
【００２８】
電動機２台の動力単位で直・並列の場合は、操作レバーは０、１、２として上記の０、２、３の操作段に替え、１段は低・中速運転、２段は高速運転に使用の他、上記と同様とする。
【００２９】
蓄電回路から、永久連結の単位列車編成毎に、回路遮断器で分岐してインバータ及び変圧器を配し、補機・照明用低圧交流、更に整流器及び蓄電池を配して前照・信号灯、制御及び非常用低圧直流の車内電源に供する。
【００３０】
受電、蓄電、電動機（電機子及び界磁）の各回路に電圧・電流センサを、車軸に速度センサを、それぞれ制御及び表示用として配する。
【００３１】
高落差の急勾配区間に運行の車両には、電動機回路と受電回路との間に、回生送出用接触器とダイオードを配することができる。
【００３２】
交流または交・直流両用電動車両では、受電回路に配した変圧整流器の直流側を、上述の受電接触器を介して電力制御回路に接続する。
【００３３】
動力車に永久連結の付随車の床下や機関車の車室内等に、ディーゼルエンジンやガスタービン等で駆動される発電機（上述の２巻線の無整流子電動機と同様な構成が望ましい）等の電源設備を搭載して受電回路に接続し、非電化区間あるいは電化・非電化両区間を運行の、気電動客車や気電動機関車の動力装置を構成することもできる。
【００３４】
【作用】
以上に述べたように構成した本発明の車両の動力装置の作用につき、下記に説明、なお、直流無整流子電動機のY・Δ或いはY直列・Y並列・Δ並列の各々接続並びにルート３倍電圧・ルート３倍速度は、以下の説明においては、特記の他、直流分巻整流子電動機の直列・並列或いは全直列・直並列・全並列の各々接続と同機能と見做し、また、２倍電圧・２倍速度と同機能と見做し倍電圧・倍速度として一括記載する。
【００３５】
架線電力は、受電回路及び電力制御回路の電子制御回路を経て蓄電回路及び電動機回路に給電されるが、蓄電電力及び回生電力は、受電用ダイオードの逆流阻止で架線に逆送出されないので、蓄電電圧は、架線電圧変動あっても高めに充電・保持される。
【００３６】
蓄電電力は、電力制御回路の接触器ブリッジの出力側隣辺接触器を経て直接に、受電電力とともに対辺接触器と電子制御回路を経て、電動機回路に給電され電動機回路が電動作動して車両を牽引し、また、電動機回路の発電作動で発生の回生電力は、同様に接触器ブリッジを経て、直接及び電子制御回路を経て蓄電回路に充電され車両を制動する。
【００３７】
電子制御回路の降圧・昇圧チョッパ制御と界磁の全励磁（以下、全界磁と呼ぶ）で、車両の緩発進及び定トルク加速・減速を行ない、全電圧直接の給電・充電と電動機の界磁制御で、垂下トルク加速・減速及び定速定常走行を行なう。
【００３８】
電子制御回路の主制御接触器が閉じて、入力リアクトル、チョッパ及び出力リアクトルの直列回路を形成し、降圧チョッパ制御により全界磁の電動機の電機子電流を緩発進及び加速度に見合う値に制御（以下、電動の電機子制御と呼ぶ）し、また、副制御接触器が閉じて、チョッパの出力側を負極線に落とし、入力リアクトル、還流ダイオード及び出力リアクトルの直列回路を形成し、昇圧チョッパ制御して蓄電回路に充電し、全界磁の電動機の電機子電流を減速度に見合う値に制御（以下、回生の電機子制御と呼ぶ）する。
【００３９】
なお、上記の昇圧チョッパ制御作動に先立ち受電接触器を開き、減速に伴い電圧低下する電動機回路及び電子制御回路に受電電力の流入を阻止し、また、電動機回路電圧が電機子を含む主回路の導体抵抗降下値まで低下すると回生ブレーキから発電ブレーキに移行し、停止寸前の微速まで制動し、車輪ブレーキで所定位置に停車する。
【００４０】
上述の全電圧界磁制御運転（垂下トルク加・減速及び定常走行）において、副制御用接触器を閉じ昇圧チョッパ不作動即ち全電圧の受電電力を電動給電及び蓄電充電するが、架線電圧の急昇あれば直ちに主制御接触器に切り替わり、限流チョッパ作動で蓄電回路の過大な突入充電を避ける。
【００４１】
電子制御回路の主制御または副制御接触器で、降圧または昇圧チョッパ制御の回路を形成して給電・充電調整し、架線電圧変動あっても蓄電電圧を定格値に保持、あるいは勾配路の状況に応じて蓄電電圧を予め低めまたは高めに調整することができる。
【００４２】
蓄電装置設置時及び故障蓄電要素の新替えに伴う初期充電や、夜間休止の自己漏洩放電の回復充電においては、電機側接触器で電動機回路を切り離し、主制御接触器を閉じて降圧チョッパ制御で受電充電の突入電流を抑え、蓄電電圧が受電電圧近くに回復した時、副制御接触器に替え全電圧充電に戻す。
【００４３】
上述の各項において主・副制御接触器のいずれの場合でも、チョッパの制御作動で断続電流を発生するが、両リアクトルと平滑コンデンサ及び還流ダイオードで受電、蓄電及び電動機の各回路の電流を平滑にし、低波形率の断続電流による各回路の銅損増加を避けるとともに、架線の併接通信線への誘導障害を防ぐ。
【００４４】
なお、加速及び定常走行時には、受電電力は電子制御回路を通るので、電動機の整流子（無整流子電動機ではサイリスタ組）から発生のノイズ（Noise）電流は上記の回路でろ波（Filt）され、減速時に は、受電接触器や受電ダイオードで遮断されるので、通信線への誘導障害は出ない。
【００４５】
車両の運転に伴う各接触器や回路故障に伴う各回路遮断器の遮断時に、両リアクトルから発生及び架線や電動機回路から来る高電圧の過渡サージエネルギは、それぞれリアクトルに接続のコンデンサ、ダイオード及びバリスタが成す閉回路で吸収され、チョッパやダイオードを保護する。
【００４６】
通常の運転サイクルにおいては、前サイクルの減速制動における回生電力での充電で、蓄電電圧が架線電圧より高くなっているので、発進・加速初期には蓄電電力が給電され、放電で蓄電電圧が架線電圧まで下がると受電電力に移行し始めるが、蓄電回路の抵抗が架線回路より著しく低いので、加速時の電動機の突入過負荷は蓄電電力に大きく偏り、加速後期に達し受電電力での給電に緩やかに移行し、定常走行中に蓄電電圧が元の架線電圧に復昇するまで補充電を続ける。
【００４７】
受電電力は、加速後期から定常走行への移行時に最大であるが、電動機の突入過負荷により遥かに軽負荷であり、補充電進行に従い減少し補充電終期に定常走行負荷のみとなる。
【００４８】
車両の減速制動においては、界磁電流を増し電動機回路電圧が蓄電・架線電圧より高くなって回生ブレーキが働き、受電ダイオードで逆流を阻止されて架線は無負荷になり、続いて前述の全界磁と昇圧チョッパ制御で、回生電力を蓄電回路に返流して蓄電装置に充電回収し、蓄電電圧は架線電圧よりも高くなる。
【００４９】
勾配路の登坂では勾配抵抗が加わり、定常走行でも架線負荷は大きくなるが、定常走行負荷は勾配に応じた速度のため電動機の全電圧定格以下であり、それに上述のように加速時の蓄電電力消費の補充電を加えたものが架線負荷となるが、加速時の突入過負荷より遥かに軽い。
【００５０】
降坂では勾配抵抗は負（−）のため、加速終期に回生ブレーキに移行し、続いて補充電で蓄電電圧回復し、受電ダイオードで逆送出を阻止されて架線が無負荷になり、定常走行中は回生電力での充電を続けるので、蓄電電圧は架線電圧よりも高くなり、続く平坦路や登坂路では蓄電電力だけで走行し、架線電圧に戻ると受電電力に移行する。
【００５１】
登坂力行中は、受電電力を上記の降圧チョッパ制御で絞り、勾配抵抗に応じた蓄電電力を引き出して受電電力に加え、上記の架線負荷を該登坂の半勾配の定常走行抵抗近くまで低減・平準化するとともに蓄電電圧を暫降し、帰途の降坂抑速の回生充電での蓄電電圧上昇を相殺、あるいは、降坂手前の平坦・登坂路で受電接触器を開き、蓄電電力だけの運転で蓄電電圧を予め下げ、高落差急勾配路の降坂終期の過昇圧（過充電）を避けることができる。
【００５２】
なお、上述の運転サイクルの定常走行時の補充電あるいは夏季・冬季の冷・暖房負荷で、降坂抑速の回生電力を幾らか消費するので、上記の如き充電調整なく、通常の落差の勾配路に対応することができる。
【００５３】
蓄電装置を構成する大容量蓄電器は、架線電圧変動に拘らず有効な浮動充放電機能を持ち、車両の加・減速における突入過負荷や急勾配の登・降坂における重負荷での急速放・充電にも、電圧昇降（充・放電電圧差）やタイムラグ（Time Lag）なく即応し、電力損失は極めて小さく、高頻度の繰り返しにも劣化しない。
【００５４】
蓄電要素の万一の絶縁破壊で内部短絡したとき、瞬時短絡電流でヒューズが確実に熔断して故障蓄電要素を速やかに切り離し、短絡エネルギを局限してその破裂・出火を抑え、隣接動力単位の蓄電回路と共働でそのまま運転を再開・継続し、運転休止中に該動力単位の断路器及び該ヒューズ付き断路器を開いて故障蓄電要素及び熔断ヒューズを取り替え、回復充電の上、該ヒューズ付き断路器を閉じて復旧することができる。
【００５５】
電子制御回路のチョッパは、１０００Ｈｚの如き高周波数での作動においても損失は微小であり、リアクトルは、そのような高周波において、小インダクタンスでも高リアクタンスが得られるため、小形軽量且つその巻線抵抗は極めて小さく、その電力損失（銅損＋鉄損）は、電動機のものに比べ遥かに小さくできる。
【００５６】
電動機の全界磁と降圧チョッパ制御により、全直列で緩発進し、直並列、全並列に順次切り替えて定トルク加速し、その上限速度で倍電圧界磁制御の垂下トルク加速に移行し、所定の運転速度に達した時に直並列に戻して全電圧界磁制御の定常走行に移行、また、全並列で倍電圧界磁制御の垂下トルク減速し、その下限速度で全界磁・昇圧チョッパ制御に移行し、直並列、全直列に順次に切り替えて定トルク減速を行なう。
【００５７】
なお、低・中速走行では、運転速度に応じ、全直列あるいは直並列までの加速・減速とし、全直列のままあるいは全直列に戻して定常走行する。
【００５８】
主幹制御器の操作レバーを０ノッチから１、２、３のいずれかの速段ノッチに進めると全直列で微速発進、前に押すと加速し操作ノッチの終段（１ノッチでは全直列のまま、２ノッチでは直並列、３ノッチでは全並列）まで速度に従い自動的に進段し、あるいは、後に引くと減速し速度に従い自動的に戻段し、所定の速度に達したとき該操作レバーを中立（走行）に戻すとその速度を制御装置が記憶し、速度に見合う制御段（低・中速では全直列、高速では直並列）に戻り、その記憶速度に定速制御して定常走行、０ノッチに戻せば電動機回路が切り離され惰行、再び速段ノッチに進めるとその時の速度に定速制御する。
【００５９】
操作レバーを引き続けると、全直列まで自動的に戻段しながら減速を続け回生ブレーキから発電ブレーキに移行して停止寸前の微速に至り、中立に戻し微速走行、所定位置で該操作レバーを０ノッチに戻し制動空気弁を操作して車輪ブレーキで停車、なお、定常走行中（低・中・高速）は、軌道勾配に応じ電動力行または回生抑速に自動的に移行する。
【００６０】
並列或いは全並列接続での倍電圧（Δ接続或いはΔ並列接続での1.732倍電圧）では、高速域において、過負荷の電機子電流（電機子巻線電流）は、直列或いは直並列接続での全電圧の定トルク域と同じで銅損増加なく、倍速度に拡張された定トルク域は勿論、それに続く垂下トルク域での最高運転速度（全電圧での弱め界磁40%）においても、界磁は2倍の80%（Δ接続或いはΔ並列接続での界磁磁束は1.732倍の70%）でトルクは電動・回生とも強力であり、乗客の加速度感を増すことなく平均加・減速度を著増して、高速運転での加・減速時間・距離を著しく短縮する。
【００６１】
全並列の倍電圧加・減速では、その上限速度域で、蓄電回路の放・充電突入電流は直並列での２倍（Δ並列ではＹ並列の1.732 倍）に達するが、蓄電器の即応性と配線を含む極めて小さい導体抵抗により、大きな架線負荷増加なく車両内で効率よく運動のエネルギを処理する。
【００６２】
電機子電圧は速度に比例し鉄損はその２乗に比例するので、全並列の定トルク上限速度では倍電圧（Δ並列では1.732 倍電圧）で鉄損は４倍（Δ並列では３倍）達するが、その平均値は、加速中の突入電流による銅損よりかなり小さく、全損失の増加率は小さく、短時作動（１分以下）のため電機子の昇温はあまりない。
【００６３】
定常走行は、高速域では直列接続或いは直並列接続での電機子全電圧で、低・中速域では全直列接続の電機子半電圧で、それぞれの垂下トルク域において、界磁制御での定速運転を行い、無負荷損失を成す鉄損及び励磁電力を低減して軽負荷（平坦・緩勾配での高速運転でほぼ半負荷、中速運転ではほぼ４半負荷）の銅損との損失協調で電動機の効率を稼ぐ。
【００６４】
走行速度に応じ電動機の直・並列切り替えで、発進及び減速終期を除き定トルク加・減速中のチョッパ作動の降・昇圧制御率ε＝Ｖm ／Ｖc （Ｖm は電動機回路電圧、Ｖc は蓄電回路電圧）を０．５〜１以内に抑え、電子制御回路の電力損失を即ち制御損失を局限し、また、垂下トルク加・減速及び定常走行時には受電電力の通流のみとなり、接触器ブリッジで電動・回生電力を直接授受ととなる。
【００６５】
全並列の定トルク上限近くおよび垂下トルク域では、上述の如く電機子鉄損が増大し電動機は超鉄機械状態になるが、全負荷電流では電機子全損失はあまり増加しないため数分程度の短時運転は可能であり、操作レバー頭部のボタンを押し全並列で数ｋｍ程度の急勾配路も高速走行のまま一気に走り抜けることもできる。
【００６６】
前述の特開平９‐２８９７０３では、同期機使用の直流無整流子電動機の電機子巻線の各々接続において、回生域は架線など電源電圧以上で働くため、電動機出力の回生電圧は電源電圧の約２倍の如く著しい高電圧まで達し、その高電圧定格の降圧チョッパ制御で電源電圧まで下げて蓄電装置に充電し、なお、倍電圧変換回路を付加して更なる微速の回生を可能とし、然し、電動域は電源電圧且つ該電動機の定格電圧以下で働くため、高速域は従来技術と同様に弱め界磁の垂下トルクであり、前述の特開平５０‐１１１５１６などと同様に、正（電動）・負（回生）非対称のトルク特性であるが、本発明では、直流分巻整流子電動機又は誘導機使用の直流無整流子電動機において、直流電源電圧の下で、電動・回生とも、電機子又は電機子巻線の接続切替で該電動機が全電圧及び倍電圧を受けて働き、正・負ほぼ対称のトルク特性を、倍電圧により倍速度に拡張したものである。
【００６７】
前述の特開平１０‐６６２０４では、（A）「同期機使用の直流無整流子電動機又は直流直巻整流子電動機を使用し、基本的には、上記の特開平９‐２８９７０３と同様に、回生域は電源電圧を超えた過電圧作動により高速域の回生トルクを強化しているが、電動域は電源電圧且つ該電動機の定格電圧以下で働くため高速域では弱め界磁の垂下トルクで、正・負非対称のトルク特性」であり、且つ（B）該発明の作用として「直流無整流子電動機の電機子巻線のY接続での全出力（実施例１の表１では１２０KW）を、制御素子を強化してΔ接続で定格のルート３倍の定常出力（実施例１の表１では２０８KWに増力）」としているが、それはルート３倍の定格出力（２０８KW）の電動機の使用を意味しており、本発明においては、上述のとおり、（A）「誘導機使用の直流無整流子電動機又は直流分巻整流子電動機を使用し、何れも直流電源電圧の下で、該電動機の基本定格電圧のルート３倍電圧（又は倍電圧）作動により正・負ほぼ対称トルク特性をルート３倍速度（又は倍速度）に拡張して、電動・回生とも高速域のトルクを強化し」、且つ（B）「鉄損3倍増（又は4倍増）による昇温増加を考え、基本定格の全電圧連続定格（例えば定格出力は上例の１２０KW）の電動機の寸法、構造及び強度など機・電両面の設計を変えずに（但し絶縁耐圧強化は勿論必要）、加速・減速の短時作動に見合うルート３倍電圧（又は倍電圧）短時定格を付加し」、運転性能を著しく向上したものであり、なお、誘導機使用の直流無整流子電動機のトルク特性は直流分巻整流子電動機と同様であるが、そのトルク特性の形成機構が異なるので下記に述べる。
【００６８】
誘導機使用の直流無整流子電動機において、電動機の界磁磁束を成す励磁電流は、電機子電流と共に電機子巻線に流れるため、直流分巻整流子電動機や同期機使用の直流無整流子電動機の界磁電流のように単独には制御できず、インバータの電圧・周波数で制御され、電圧・周波数とも可変制御により励磁電流即ち界磁磁束と電機子電流が一定で以って定トルク特性となり、定電圧・可変周波数により速度（周波数に比例）に反比例の界磁磁束を成し、電機子電流限度は励磁電流即ち界磁磁束に比例するため、該電動機のトルク限度は速度の2乗に反比例する垂下トルク特性となり、前述の直流整流子電動機の電機子制御による定トルク特性及び界磁制御による垂下トルク特性と同様になる訳であり、また、抑速・減速では、インバータに併設の還流ダイオードブリッジが電機子起電力を整流し直流電源側に返流の回生制動で以って電動と同様な回生トルクを成し、正・負ほぼ対称のトルク特性を形成する。
【００６９】
蓄電容量を超える位置のエネルギを持つ特別高落差の急勾配路に、逆電力処理機能を有する降坂では、定常走行で電機側接触器を開いて電力制御回路を切り離し、回生送出接触器を閉じて抑速回生電力を架線に直接送出できる。
【００７０】
交流または交・直流両用の電動車両の受電回路の変圧整流器は、定常走行負荷と補充電が主となり、加速時の突入加負荷は大部分を、減速及び降坂抑速負荷は全電力を蓄電回路で処理するため、前述の架線回路と同様に軽負荷且つ軽債務であり、また、変圧器タップを切り替えを加えて出力電圧を変え、蓄電電圧を定格値に保持あるいは勾配路状況に応じ予め高めまたは低めに調整することもできる。
【００７１】
気電動車両では、上記と同様に発電整流器は軽負荷・軽債務であり負荷に応じて電機子接続とエンジン回転数を変え、負荷全域に亘りエンジン・発電機とも効率を稼ぎ、また、界磁制御で発電電圧を変えて、上記と同様に蓄電電圧の保持あるいは調整することもできる。
【００７２】
【実施例】
実施例として、電動機４台で全４軸駆動の電動車を１動力単位とする電動客車を挙げ、図面を参照して説明する。
【００７３】
［受電回路］  図１において、架線１の電力は、集電器２、車間給電線３及び高速遮断器４より成る受電回路５と、ダイオード６（前欄の受電ダイオード）及び接触器７（前欄の受電接触器）を経て、下記のリアクトル８（前欄の入力リアクトル）に至る。
【００７４】
［電子制御回路］  チョッパ９を挟んで２個のリアクトル８、１０（前欄の入力及び出力リアクトル）を配して制御主要素とし、リアクトル８の出力側と負極線１１との間に、ダイオード１２（前欄の入力リアクトル用還流ダイオード）とコンデンサ１３（前欄の平滑コンデンサ）の直列回路を、リアクトル１０の入力側と負極線１１との間に逆極性にダイオード１４（前欄の出力リアクトル用還流ダイオード）をそれぞれ配し、また、ダイオード１２に並列及びチョッパ９とリアクトル１０との間に、共通のアクチュエータを持つ接触器１５（前欄の主制御接触器）を、チョッパ９の出力側と負極線１１との間及びダイオード１２とコンデンサ１３との接続点とリアクトル１０の入力側との間に共通のアクチュエータを持つ接触器１６（前欄の副制御接触器）を、それぞれ配して、電子制御回路１７を構成する。
【００７５】
なお、電子制御回路１７の入力側及び出力側と負極線１１との間に、それぞれ該回路電圧では漏洩電流が微小且つ充分な過渡サージエネルギ吸収容量を持つバリスタ１８、１９を配する。
【００７６】
［負極回路］  負極線１１は車軸集電子２０及び車輪２１を介して、軌道２２に接続・接地する。
【００７７】
［電力制御回路］  電子制御回路１７の入力側及び出力側に各々２個の接触器２３、２４及び２５、２６をブリッジ形に付加して電力制御回路２７を構成し、その接触器ブリッジの対角点即ちそれぞれ入力側と出力側の接触器対２３・２５（前欄の蓄電側接触器）及び接触器対２４・２６（前欄の電機側接触器）の各接続点に、高速回路遮断器２８、３０を介して蓄電回路２９及び電動機回路３１を接続する。
【００７８】
［蓄電回路］  蓄電回路２９は、断路器３２及び蓄電単位３３より成り、図２において、蓄電要素３４にヒューズ付き断路器３５を直列に配し、その複数組を並列接続して蓄電単位３３を構成し、なお、単位列車編成の各車両に均圧線３６とその両端の断路器３７及び車両間のジャンパ線３８、３９を配し、各蓄電単位３３を隣接のもの（点線図示）と接続する。
【００７９】
［電動機回路］  図３において、４台の電動機の電機子４１（Ｍ１、Ｍ２、Ｍ３、Ｍ４）は分巻界磁４２（Ｆ）及び補極４３（ＡＰ）を持ち、電機子４１は、接触器４４、４５を閉じて全直列（４台直列）、接触器４５、４６を閉じて直並列（２台直列の２組を並列）、接触器４６、４７を閉じて全並列（４台並列）の３段の接続切り替えを行ない、界磁４２は全直列接続され、接触器４８、４９で正・逆転切り替えし、チョッパ５０で励磁制御（他励）され、ダイオード５１は還流ダイオードとして、界磁巻線４２のリアクタンスと共働し界磁電流Ｉf を平滑にする。
【００８０】
［界磁制御特性］  チョッパ５０に、加・減速用直巻特性（電機子電流Ｉa に比例）及び定常走行用分巻特性（定速制御）の励磁制御機能を付加する。
【００８１】
［操作機構］  図４において、車両の運転室に配した主幹制御器５２の運転操作レバー５３は、左右・前後に交叉機構を有し、左から０、１、２、３のノッチで「切」、「低速」、「中速」、「高速」の速段に対応し、各速段ノッチで前に押して「加速」、後に引いて「減速」、中立で「定速」及び該操作レバー５３の頭部にボタン５４「倍力」の制御機能を持ち、なお、前押し（加速）は自力戻り（Spring-Return ）、後引き（減速）は手戻し（Hand-Return ）の機構を持たせる。
【００８２】
キーレバー５５は、「前進」、「切」、「後進」のノッチを、制動空気弁５６は「制動」、「保持」、「解放」のレバー位置をそれぞれ有し、なお、速度計５７、受電・蓄電電圧計５８（２針表示）、受電・蓄電電流計５９（２針表示）、電動機電流計６０及び制動空気圧力計６１を配する。
【００８３】
［車内低圧電源］  再び図１において、蓄電回路２９より分岐し、インバータ６２で３相交流に変換・降圧して車内補機・照明設備に給電するとともに、整流器６３で蓄電池６４を充電して前照灯・信号灯、非常用・制御用低圧直流電源とする。
【００８４】
［諸量センサ］  主要な各回路に制御・表示用として、電圧センサ６５（受電Ｖt ）、６６（蓄電Ｖc ）、６７（電機子群Ｖm ）、電流センサ６８（受電Ｉt ）、６９（蓄電Ｉc ）、７０（電機子群Ｉm ）、７１（界磁Ｉf ）、７２（低圧電源Ｉax）及び車軸２１に速度センサ７３（走行速度ｖ）を配する。
【００８５】
［回生送出回路］  架線回路１に逆電力処理機能（図示省略）または蓄電機能（例えば点線図示の如き蓄電装置７４を複数分散配置）を持つ特別高落差急勾配区間を運行の車両では、電力制御回路２７の電機側に、点線図示のように、接触器７５及びダイオード７６（前欄の回生送出接触器・ダイオード）を追設でき、その場合は、電動機の整流子（無整流子電動機では、サイリスタ組）から発生のノイズ電流消去用リアクトル７７及びコンデンサ７８が必要である。
【００８６】
［作動及び特性］  以上の如き構成の実施例において、その作動及び諸特性を、概括した表１を図面とともに参照して説明するに当たり、四則演算（加、減、乗、除）記号は「＋、−、＊、／」を使用、平方及び平方根はＥ＾2 及び３＾1/2 の如く表わす。
【００８７】
【表１】
0004200512.tif 000002
【００８８】
［チョッパ制御作動］  図１において、接触器１５が閉じてダイオード１２を側路及びリアクトル８−チョッパ９−リアクトル１０の直列回路に、各接続点と負極線１１との間にコンデンサ１３とダイオード１４が入ったπ形回路を形成し（以下、これを制御Ｃ１モードと呼ぶ）、チョッパ９の全通全電圧及び降圧制御（以下、降圧チョッパ制御と呼ぶ）または限流制御（以下、限流チョッパ制御と呼ぶ）、あるいは、接触器１６が閉じてリアクトル８−ダイオード１２−リアクトル１０の直列回路に、各接続点と負極線１１との間にチョッパ９とダイオード１４が入ったπ形回路を形成し（以下、これを制御Ｃ２モードと呼ぶ）、チョッパ９の遮断全電圧及び昇圧制御（以下、昇圧チョッパ制御と呼ぶ）を行なう。
【００８９】
［受電・充電］  受電電力Ｐt は、常に電子制御回路１７を通り、通常は制御Ｃ２モードでチョッパ遮断全電圧で充電するが、ダイオード６の逆流阻止により蓄電電圧Ｖc は架線電圧変動の高めに保持され、また、架線電圧が急昇のときは直ちに制御Ｃ１モードに切り替わり、限流チョッパ制御で過大な突入充電を避ける。
【００９０】
［電動牽引］  接触器ブリッジの対辺の接触器２３、２６が閉じ（以下、運転Ａモードと呼ぶ）、制御Ｃ１モードで蓄電電力Ｐc 及び受電電力Ｐt を共に降圧チョッパ制御し、続いて出力側の隣辺の接触器２５、２６が代わって閉じ（以下、運転Ｍモードと呼ぶ）直接全電圧の蓄電電力Ｐc に、制御Ｃ２モードのチョッパ遮断全電圧の受電電力Ｐt を重累して、電動機回路３１に給電し、電動作動で車両を牽引する。
【００９１】
［回生制動］  上記のＭモードで定常走行中に、界磁を強めて電動機回路３１の電機子群電圧Ｖm を上げ直接全電圧で、続いて接触器ブリッジの対辺の接触器２４、２５が閉じ（以下、運転Ｂモードと呼ぶ）、制御Ｃ２モードで、減速に伴い低下する電機子群電圧Ｖm を昇圧チョッパ制御で上げ、電動機回路３１が発電作動して回生ブレーキが働き、回生電力Ｐm を蓄電回路２９に返流・充電し車両を制動する。
【００９２】
なお、運転Ｂモードに替わる時に接触器７を開き受電回路５を、減速に伴い回路電圧Ｖm が低下する電動機回路２９及び電子制御回路１７から切り離し、また、減速終期に電動機回路電圧Ｖm が入力リアクトル８を含む主回路導体の抵抗降下まで下がると発電ブレーキに移行し、停止寸前の微速まで減速する。
【００９３】
［運転特性］  運転Ａ・Ｂモードでは、降・昇圧チョッパ制御による電機子制御とチョッパ５０による全励磁の界磁即ち全界磁で定トルク加・減速を行ない、運転Ｍモードでは、電機子全電圧とチョッパ５０による励磁制御即ち界磁制御で直巻特性の垂下トルク加・減速及び分巻特性の定速定常走行を行なう。
【００９４】
［平滑・ろ波］  制御Ｃ１・Ｃ２モードともチョッパ９の制御作動による断続電流は、リアクトル８とコンデンサ１３のろ波（Filting ）作用及びリアクトル１０とダイオード１４の還流（Freewheeling）作用により、受電、蓄電及び電動機の各回路５、２９及び３１の電流Ｉt 、Ｉc 、Ｉm を平滑にして、波形率が小さい断続流による銅損増加を抑えるとともに、架線１に併行の通信線への誘導障害を防ぐ。
【００９５】
なお、受電電力Ｐt は運転Ａ、Ｍモードとも電子制御回路１７を通るが、電動機４７の整流子（無整流子電動機ではサイリスタ）から発生のノイズ（Noise ）電流に対し、上記と同様にろ波作用が働き、運転モードＢでは接触器７で受電回路５を切り離すので、架線１にはノイズ電流は出ない。
【００９６】
［制御素子の保護］  運転モード、制御モード及び後述の電機子接続の切り替えにおける接触器の開路並びに短絡等での回路遮断器の作動に伴うリアクトル８、１０の過渡サージエネルギは、それぞれに接続のコンデンサ１３、ダイオード１２、１４及びバリスタ１８、１９が成す閉回路で、架線回路１及び電動機回路３１からの外来サージエネルギはバリスタ１８、１９で、それぞれ吸収し電子制御回路１７の制御素子を保護する。
【００９７】
［等価回路］  図５において、図１の要部を等価回路に示せば、変電所７９には電源電圧Ｅs を持つ変圧整流器のリアクタンスｘs 及び巻線抵抗ｒsがあり、架線１には変電所７９からの距離に応じて架 線抵抗ｒt があって、架線負荷電流Ｉt に対しそれぞれ電圧降下ｅs 及びｅt を生じ、車両の受電点（集電子２）の架線電圧Ｖt ＝Ｅs −（ｅs ＋ｅt ）で給電され、給電効率はηt ＝Ｖt ／Ｅs である。
【００９８】
架線１からの受電電流Ｉt は、運転制御回路２７の電子制御回路１７の回路抵抗ｒL （主にリアクトル８、１０の導体抵抗）を通って電圧降下ｅL を生じ、電圧Ｖc またはＶm で、接触器ブリッジの負荷側隣辺の接触器２４、２６（Ｍモード）を経て蓄電回路２９に充電及び電動機回路３１に給電され、該接触器２４、２６で直接接続された蓄電回路２９と電動機回路３１は、走行負荷に応じ受電電流Ｉt を重累した充・放電電流Ｉc 及び電機子群電流Ｉm で以て電力の授受を行ない、それぞれ蓄電電圧Ｅc 及び導体抵抗ｒc による電圧降下ｅc 、電機子群起電力Ｅm 及び電機子群抵抗ｒm による電圧降下ｅm を持つ。
【００９９】
定トルク加・減速時には、運転ＡモードまたはＢモードで、電子制御回路１７の抵抗ｒL を通り、
加速時（Ａモード）では、
蓄電回路電圧Ｖc ＝Ｅc −ｅc ＝Ｖt ＝Ｖm ＋ｅL
電子制御回路電圧降下ｅL ＝（Ｉc ＋Ｉt ）＊ｒL （放電・受電）
電動機回路電圧Ｖm ＝Ｅm ＋ｅm （電動）
減速時（Ｂモード）では、
蓄電回路電圧Ｖc ＝Ｅc ＋ｅc ＝Ｖm −ｅL
電子制御回路電圧降下ｅL ＝Ｉc ＊ｒL （充電）
電動機回路電圧Ｖm ＝Ｅm −ｅm （回生）
の如き電圧勘定となり、車両内電力効率ηp は電動ではηp ＝Ｅm ／Ｅc 、回生ではηp ＝Ｅc ／Ｅm であり、突入過負荷を伴う加・減速時の電動・回生電力の処理において、車両内の電力制御回路２７、蓄電回路２９及び電動機回路３１のそれぞれの電圧降下ｅL 、ｅc 及びｅm が車両内の総合電力効率ηp の要因であり（車両内配線は短く導体抵抗は著しく小さいので無視してよい）且つそれらの電圧降下が電動・回生における電力の往復とも存在するため、電力回収効率はηp＾2となる。
【０１００】
なお、加速終期、定常走行及び減速初期には、運転Ｍモードで、蓄電回路２９と電動機回路３１との間で直接に電力授受が行なわれ、それらの電圧降下ｅc 、ｅm は、加・減速では上記と同様であるが、定常走行では小さく、電子制御回路１７では受電電流Ｉt のみでありその電圧降下ｅL も小さいが、電機子４１の鉄損ｐmi、界磁４２の励磁電力ｐf 等の無負荷損失が、車両内電力効率ηp 即ち電力回収効率ηp＾2にかなり影響し且つ定常走行は運転サイクルの大半（小駅通過の急行列車では大部分）を占  めるので考慮を要する。
【０１０１】
［蓄電回路の特性］  図６において、静電容量Ｃを持つ蓄電回路２９の蓄電電気量Ｑ（横軸）は蓄電電圧Ｅc （縦軸）に比例即ちＱ＝Ｃ＊Ｅc 、蓄電電力量Ｗ（横軸）は蓄電電圧Ｅc の２乗に比例即ちＷ＝Ｃ＊Ｅc＾2の関係があり、定格電圧Ｅoの蓄電電力量Ｗo、蓄電電圧昇降±δＥに対し充放電電力量δＷ＝Ｗo ＊（２＊δＥ±δＥ＾2 ）（絶対値）が利用でき、その平均値は、定格電圧Ｅo より少し（δＥ＾2 ／２）高い蓄電電圧Ｅcoを中央値としたＷc ＝２＊δＥ＊Ｗo （絶対値）である。
【０１０２】
なお、蓄電要素３４は、その蓄電原理が静電的であるので加・減速時の突入過負荷に即応し且つその対向及び引出し導体を含む回路抵抗ｒc は極めて小さいので、充・放電電流Ｉc に対し電圧降下ｅc 及び電力損失ｗc は微小である。
【０１０３】
［運転サイクルでの機械的挙動］  図７（ａ）において、発車点▲１▼で電機子制御により牽引力Ｆa を発生し、慣性力Ｆia＝牽引力Ｆa −走行抵抗Ｆv で加速度αc の略々直線的に即ち定トルクで加速し、その上限速度ｖacに達した時▲４▼に界磁制御に替わり、曲線αd の垂下トルク加速、運転速度ｖに達した時▲４▼d で走行抵抗Ｆv の定常走行に切り替える。
【０１０４】
減速開始点▲５▼d で界磁制御による制動力Ｆb を発生し、慣性力Ｆib＝制動力Ｆb ＋走行抵抗Ｆv で、減速度βd の垂下トルク減速、界磁制御下限速度Ｖbcに達した時▲５▼に電機子制御に替わり減速度βc の定トルク減速、微速ｖw に達した時▲８▼に車輪ブレーキに切り替え停車点▲９▼で停止する。
【０１０５】
走行抵抗Ｆv は、車両の車輪の転がり抵抗（略々一定）及び電動機を含む回転部の機械抵抗（速度ｖに略々比例）と、空気抵抗（速度ｖの２乗に比例）より成り、低・中速では軽少であるが高速ではかなり増加する特性を持つ。
【０１０６】
［エネルギ勘定］  運転サイクルにおいて、Ｆa 、Ｆv 及びＦb のそれぞれ距離Ｓa 、Ｓv 及びＳb について積分値Ｗa 、Ｗvv及びＷb は加速、定常走行及び減速の仕事量即ちエネルギであり、その内慣性力Ｆia及びＦibのそれぞれ距離Ｓa 及びＳb についての積分値Ｗia＝Ｗib＝Ｗi が運動のエネルギ（前欄の無効動力）であり、Ｗv ＝Ｗva＋Ｗv ＋Ｗvbが走行抵抗Ｆv に消費する抵抗エネルギ（前欄の有効動力）であり、加速・牽引での消費エネルギＷa ＋Ｗvvに対する減速・制動エネルギＷb の割合即ち制動エネルギ率εbi＝Ｗb ／（Ｗa ＋Ｗvv）が、エネルギ回収の目標値となる。
【０１０７】
なお、停止寸前の微速ｖw まで回生ブレーキが作動するので、車輪ブレーキの制動エネルギはＷi ＊（ｖw ／ｖ）＾2 となって微小であり、なお、加・減速において、電動機４１の特性上、牽引力Ｆa ＝Ｆia＋Ｆv と制動力Ｆb ＝Ｆib−Ｆv とを等しくとるのが普通であり、慣性力はＦib＝Ｆia＋２＊Ｆv 即ち減速の方が大きいので、減速距離Ｓb は加速距離Ｓa より小さい。
【０１０８】
［運転サイクルでの電気的挙動］  図７（ｂ）において、蓄電回路電圧Ｖc は、前サイクルの減速・制動の回生電力を充電して架線電圧Ｖt よりδＶだけ高くなっているので、発進及び加速前期では電動負荷Ｐma＝放電電力Ｐc であり、放電で蓄電回路電圧Ｖc が架線電圧Ｖt まで下がった時▲４▼t 架線電力Ｐt に移行開始し、加速後期では放電電力Ｐc ＝Ｐma−Ｐt は破線図示のように下がり、定常走行に至って（時点▲４▼d ）電動負荷Ｐmvが軽小になり、架線電力Ｐt は、破線図示の充電電力Ｐc ＝Ｐt −Ｐmvを蓄電回路２９に返流しながら電動負荷Ｐmv（＝走行抵抗負荷Ｐv ／ηp ）を受持ち、蓄電回路電圧Ｖc が架線電圧Ｖt に回復すると電動負荷Ｐmvだけになる。
【０１０９】
減速では、全回生電力Ｐmbを蓄電回路２９に返流・充電（即ちＰc ＝Ｐmb）ので、蓄電回路電圧Ｖm は架線電圧Ｖt より上がり、減速終期にはδＶだけ高くなる。
【０１１０】
［電力量勘定］  加速電動負荷Ｐma、放電電力Ｐc 、受電電力Ｐt 、定常走行電動負荷Ｐmv、補充電電力Ｐc 及び回生充電電力Ｐmb＝Ｐc の、それぞれの作動時間ｔについての積分値が加速電力量Ｗma、放電電力量Ｗca、受電電力量Ｗt 、定常走行電電力量Ｗmv、補充電電力量Ｗcv、及び回生充電電力量Ｗmb＝Ｗcbであり、電力量勘定は
Ｗma＋Ｗmv＝Ｗt ＋Ｗmb及びＷca＝Ｗcv＋Ｗcb
となり、前述［エネルギ勘定］から、上式はそれぞれ
Ｗa ／ηp ＋Ｗvv／ηp ＝Ｗt ＋Ｗb ＊ηp
Ｗi ／ηp ＝Ｗv ／ηp ＋Ｗi ＊ηp
となり、電力回収率εriは回生電力量Ｗmbの消費電力量Ｗma＋Ｗmvに対する割合として
εri＝Ｗmb／（Ｗma＋Ｗmv）＝Ｗcb／（Ｗca＋Ｗcv）＝εbi＊ηp＾2
架線電力率εv は受電電力量Ｗt について同様に
εv ＝Ｗt ／（Ｗma＋Ｗmv）＝１−εri
Ｗt ＝Ｗmv＋Ｗma−Ｗmb＝Ｗv／ηp＋Ｗi＊（１／ηp−ηp）
となり、実効エネルギを為す抵抗エネルギＷv 及びその片道処理に伴う損失ｗv ＝Ｗv ＊（１−ηp ）と、無効エネルギを為す慣性エネルギＷi の往復処理に伴う損失ｗi ＝Ｗi ＊（１／ηp −ηp ）を受電電力量Ｗt で賄うことを示している。
【０１１１】
以上に述べた駅間の運転サイクルにおける諸量の挙動を、表２に示す如く、標準的な列車編成に本発明の動力方式を応用した電動客車について、表３に計算値で示す。
【０１１２】
【表２】
0004200512.tif 000003
【０１１３】
【表３】
0004200512.tif 000004
【０１１４】
各駅停車及び小駅通過（急行）の車両の走行速度域５０〜１２０km/hにおいて、［エネルギ勘定］における制動エネルギ率εbiは約８０〜５７％、消費エネルギの大部分から大半を占め、電力回収率は［電力量勘定］における慣性エネルギの往復処理損失ｗi を減じ即ちηp＾2＝0.802＾2＝0.643を乗じた値で約５０〜３６％となり、それだけ電力消費量を節減できるが、εbiとεriとの間にはかなりの落差、即ち電動機４１の突入過負荷を伴う慣性エネルギＷi が往復する電動機、電力制御及び蓄電の各回路３１、２７及び２９の電力損失ｗi があり、それぞれの回路３１、２７及び２９の効率ηm 、ηL 及びηc の積で成る総合効率（突入）ηp が重要なことを示している。
【０１１５】
加速後期（▲４▼t 以後）から定常走行終期▲５▼d までのｔt 秒間に架線電力Ｐt を受電し、加速終期▲４▼d に最大値（１８０〜６６０ＫＷ）となり、補充電終期には定常走行負荷３５〜３３２ＫＷとなるが、電動機の突入過負荷（軸負荷Ｐa ＝１２００〜２１６６〜１５４７ＫＷ）より遥かに軽く、架線負荷の著しい軽減・平準化を示している。
【０１１６】
なお、定常走行では、その時間ｔv が運転サイクルの走行時間ｔの略々６５〜８０％を占め、電動機負荷はＰv ＝３２〜３００ＫＷ（軸負荷）、著しく〜かなり軽負荷であることを示しており、鉄損ｐmiや励磁電力等の無負荷損失の総合効率ηp への影響が無視できない。
【０１１７】
［勾配路運行］  図８（ａ）のように、重量Ｗの車両８０が平坦路８１から勾配ｓ（o/oo）の登坂路８２及び降坂路８３を通り再び平坦路８４を走行する場合（実線図示）あるいはその逆方向で降坂路８５及び登坂路８６を走行するの場合（点線図示）において、図８（ｂ）のように、車両８０の牽引力Ｆd は、平坦路８１、８４では走行抵抗Ｆv のみ、登・降坂路８２、８３では勾配抵抗Ｆs ＝ｓ＊Ｗが加わってＦd ＝Ｆv ±Ｆs となり、勾配ｓが大きい即ちＦs ＞Ｆv では、降坂路８３ではＦd が負（−）の値即ち制動力Ｆb ＝Ｆs −Ｆv （絶対値）となり、走行速度ｖで同一勾配ｓの登・降坂路８２、８３を走行した場合の牽引力行負荷をＰd ＝Ｆd ＊ｖ、抑速制動負荷をＰb ＝Ｆ＊ｖとすれば、その比εbs＝Ｐb ／Ｐd は、勾配ｓにおける抑速動力率となる。
【０１１８】
［電力回収率］  図８（ｃ）において、平坦路８１、８４では、電動機負荷Ｐm は走行抵抗負荷Ｐv に電動機損失ｐv が加わってＰmv＝Ｐv ＋ｐv 、登坂路８０では勾配抵抗負荷Ｐs 及び電動機損失ｐd ＝ｐv （走行抵抗分）＋ｐs （勾配抵抗分）が加わってＰmd＝Ｐd ＋ｐd で力行し、降坂路８３では電動機損失ｐb ＝ｐs −ｐv を差し引いて回生電力Ｐmb＝Ｐb −ｐb （絶対値）で抑速し、また、登坂路８２ではＰmd＝Ｐd ／ηp 、降坂路８３ではＰmb＝Ｐb ＊ηp であり、電力回収率εrs＝Ｐmb／Ｐmd＝Ｐb ／Ｐd ＊ηp＾2＝εbs＊ηp＾2となる。
【０１１９】
以上に述べた勾配路運行における諸量の挙動を、前述の表３と同様に、表４に計算値で示す。
【０１２０】
【表４】
0004200512.tif 000005
【０１２１】
［勾配路運行］における抑速動力率εbsは、各速度ｖ（５０〜１００km/h）での直並列の電動機全負荷限度の勾配ｓ（o/oo）（太線下線）で約８６〜２８％、電力回収率εrsは約７０〜２２％、緩勾配（ｓ＝１０o/oo）でもεbsは約５７〜２８％、εrsは約４２〜２２％であり、それだけ電力消費量を節減できるが、電動機４１の連続全負荷を伴う登・降坂で、位置のエネルギＷs の往復処理において、εbsとεrsとの間にかなりの落差即ち電力損失ｐb があり、前述の慣性抵抗のものと同様に、総合効率（定常）ηp が重要であることを示している。
【０１２２】
［充放電］  図８（ｄ）、（ｅ）において、平坦路８１及び登坂路８２の走行では、電動負荷Ｐmdは受電電力Ｐt で賄うので蓄電電圧Ｖc ＝Ｖt は不変であるが、降坂路８３で回生電力Ｐmb＝Ｐc で充電するので蓄電電圧Ｖc はＶt ＋δＶに上昇、平坦路８４に入り放電電力Ｐc だけ（Ｐt ＝０）で距離Ｓc ＝Ｓ＊Ｐmb／Ｐmvを走行し、δＶ＝０（Ｖc ＝Ｖt ）に戻って受電電力Ｐt に移行、また、点線図示のように、平坦路８４から降坂路８５に入ったときは、上記と同様に回生電力Ｐmbで充電し蓄電電圧Ｖc ＝Ｖt ＋δＶに上昇、登坂路８６ではＶc ＝Ｖt に戻るまで放電電力Ｐc で走行して受電電力Ｖt に移行し、登坂路８２を走行の場合と同様、Ｖc ＝Ｖt で走行する。
【０１２３】
［蓄電調整］なお、降坂路８３の落差Ｈが大きい場合は、δＶが大きく蓄電電圧Ｖc がかなり上昇するが、降坂路８３の手前で受電接触器７を開路して蓄電電力Ｐc だけで運転し、破線図示のように、Ｖc を予め例えばδＶ／２だけ下げておき、降坂終期のＶc の過昇（過充電）を回避するのが運転操作及び電力制御が簡単であり、また、受電電力Ｐt を降圧チョッパ制御で絞り、勾配抵抗負荷Ｐs に見合う放電電力Ｐc を消費し、鎖線図示の如く蓄電電圧Ｖc をδＶまで下げながら登坂路８２を力行し、降坂路８３を充電電力Ｐc で抑速走行し、受電電力Ｐt を平準化してもよい。
【０１２４】
以上述べた［充放電］及び［蓄電調整］における蓄電関係諸量及び運行標高差について、前述の慣性抵抗関係のものとともに、表５に計算値を示す。
【０１２５】
【表５】
0004200512.tif 000006
【０１２６】
駅間運転サイクルの加・減速での充・放電に伴う蓄電電圧の昇降δＶi が、上述の降坂直前及び降坂終期での蓄電電圧の昇降δＶs に重なるので、それが許容値±２０％（電気鉄道基準）以内とするよう蓄電電圧昇降値δＶs ＝0.2 −δＶi （絶対値）を採り、運行限度標高差Ｈmax 及びその走破時間即ち充放電時間ｔc を求めたもので、各速度ｖの限度勾配ｓmax （太線下線）ではＨmax は約２００〜２７０ｍ、緩勾配ｓ＝１０o/ooでは約２５０ｍ以上、通常の標高差の勾配線には充分であるが、その勾配路の走破での充放電時間ｔc は限度勾配ｓmax では６分前後、倍電圧短時走破ではその半分の如き極めて苛酷な充放電債務を示している。
【０１２７】
なお、蓄電調整で距離Ｓの降坂路前後の平坦路での無受電走行の合計距離倍数ΣＳc ／Ｓ＝Ｐb ／Ｐv ＊ηp＾2はかなりの値であり、前述の電力回収率εrsによる電力消費量節減がそれに現われている  訳である。
【０１２８】
［電動機の特性］  図９及び図１０において、それぞれ横軸の上側の電動・放電において、電機子群の全直列、直並列及び全並列ついて、全界磁の電動域即ち速度▲２▼、▲３▼及び▲４▼以下では、運転Ａモードでそれぞれ一定の限度電流Ｉm ＝Ｉa 、Ｉm ＝２＊Ｉa 及びＩm ＝４＊Ｉa と一定の限度トルクＴm を持つ定トルク域、それ以上の速度▲２▼〜▲２▼d 、▲３▼〜▲３▼d 及び▲４▼〜▲４▼d では、運転Ｍモードで界磁磁束Φc と共に電機子群電流Ｉm も整流限度のため速度に反比例して低下し、従ってトルクＴd が速度の２乗に反比例する直巻形の垂下トルク域となり、また、一定の定格電流Ｉmf（全並列では点線図示の短時定格、）でのトルクＴf は、全界磁の電動域即ち速度▲２▼、▲３▼及び以下では定トルク、それ以上▲２▼〜▲２▼f 、▲３▼〜▲３▼f 及び▲４▼〜▲４▼f では速度に反比例する定出力トルクとなる。
【０１２９】
これらの電機子群電流Ｉm は、速度、及び以下では、電子制御回路１７の出力側リアクトル１０に負荷されるが、入力側リアクトル８には速度ｖに比例する電流ＩL （＝放電電流Ｉc またはそれに受電電流Ｉt が加わる）が流入し、速度▲２▼〜▲２▼d 、▲３▼〜▲３▼d 及び▲４▼〜▲４▼d では、放電電流Ｉc に電子制御回路１７を通るＩt を重累して給電され、速度に反比例する電機子群電流Ｉm となる。
【０１３０】
それぞれ横軸の下側の回生・充電においても、上記と同様即ち横軸について略々対称の図表となり、速度、及び以下では限度トルクＴm の定トルク域、それ以上の速度▲７▼〜▲７▼d 、▲６▼〜▲６▼d 及び▲５▼〜▲５▼d では速度に反比例の電流Ｉm と速度の２乗に反比例のトルクＴd の直巻形垂下トルク域、また、定格電流ＩmfでのトルクＴf は、速度▲７▼、▲６▼及び▲５▼以下では定トルク、それ以上▲７▼〜▲７▼d 、▲６▼〜▲６▼d 及び▲５▼〜▲５▼d では定出力トルクとなり、なお、電機子群電流Ｉm は、速度▲７▼、▲６▼及び▲５▼以下では、入力側リアクトル８に流入するが、出力側リアクトル１０には速度ｖに比例する電流ＩL ＝充電電流Ｉc が流れ、速度▲７▼〜▲７▼d 、▲６▼〜▲６▼d 及び▲５▼〜▲５▼d では、上記と同様に速度に反比例する電機子群電流Ｉm となる。
【０１３１】
なお、電機子群抵抗ｒm による電圧降下ｅm ＝Ｉm ＊ｒm のため、図９の速度ｖ−電流Ｉ線図及び図１０の速度ｖ−トルクＴ線図は、電動（横軸の上側）では低速側にｅm ％（＝ｅm ／Ｖm ）、回生側（横軸の下側）では高速側にｅm ％（＝ｅm ／Ｅm ）の、それぞれ速度変動を持ち、発進時▲１▼のリアクトル８の電流は、ＩL ＝Ｉm ＊ｅm ／Ｖm 、回生ブレーキ終点▲８▼から電機子電流Ｉm を減じながら発電ブレーキが働く（実際には、速度変動ｅm （％）には、電子制御回路１７等関連回路の電圧降下がそれぞれの負荷に応じて加わるが説明の都合上省略）。
【０１３２】
［負荷・加速度特性］  図１０において、上述の速度ｖ−トルクＴ特性線図に各軌道勾配ｓ（o/oo）及び平坦路（ｓ＝０）における加・減速度α、βを重ねて示せば、全電圧連続定格の直並列では、速度▲３▼（例えばｖ＝約４５km/h）から▲３▼f （例えばｖ＝約１２５km/h）に加速する場合、速度ｖの２乗に反比例して急に低下する垂下トルクＴd では加速度αが急激に低下するが、倍電圧短時定格の全並列で加速すれば、速度▲３▼の倍速▲４▼（ｖ＝約９５km/h）まで強力なトルクＴm で定トルク加速、それ以上は垂下トルクＴd でも▲４▼f ではＴd ＝０．８＊Ｔm で強力であり、両者のｖ−Ｔ線図と走行抵抗線図（例えばｓ＝０）が成す面積即ち加速度積分値を比較すると、前者はＢo ・Ｂ・Ｄf ・Ｄo 、後者はＢo ・Ｂ・Ｃ・Ｄ・Ｄo となり、高速域の平均加速度が著しい向上（倍増以上）を示しており、また、回生ブレーキにおいても、平坦路（ｓ＝０）の走行抵抗負荷が制動側に働く以外は、横軸について略々対称であり、加速度αと同様な減速度βが得られる。
【０１３３】
上記の高速運転での加速積分値を発進▲１▼からのもので比較すると、直並列までではＡo ・Ａ・Ｂ・Ｄf ・Ｄo 、全並列までではＡo ・Ａ・Ｃ・Ｄ・Ｄo 、後者は前者の１．５倍を上回る値になりそれだけ高速運転での平均加速度が増したことになるので、逆に加・減速トルク即ち突入過負荷をそれだけ軽減してもよく、電力制御、蓄電及び電動機の各回路２７、２９及び３１の損失低減による効率ηp の向上、乗客の加速度感の軽減及び加・減速度α、βの余裕を急勾配に利用できる。
【０１３４】
全並列で所定の速度（例えば  ｖ＝１２５km/h）まで加速して直並列に戻せば、界磁は４０％Φ（＝５０km/h／１２５km/h）となり、平坦路では電動機４１は略々半負荷で運転し銅損ｐmc＝０．５＾2 ＝２５％、鉄損ｐmi及び励磁電力Ｐf はそれぞれ全電圧連続定格の１００％及び０．４＾2 ＝１６％となり、無負荷損失を負荷損失に協調して低減し軽負荷においても効率ηp を稼ぐ。
【０１３５】
中速運転（例えば６０km/h）では、直並列まで進段して加・減速し全直列に戻し、界磁制御を４０％Φ（＝２５km/h／６０km/h）にして定常走行すれば、緩勾配路（ｓ＝５o/oo）でも電動機４１は略々４半負荷以下、ｐmc＝０．２５＾2 ＝６．３％、ｐmi＝０．５＾2 ＝２５％及びＰf ＝０．４＾2 ＝１６％となり、無負荷損失を更に低減して効率ηp を稼ぐ。
【０１３６】
上記の如き中・高速運転では、１段上の電機子接続（直並列、全並列）で加・減速を行なうため、その加速終期及び減速初期の垂下トルクＴd は充分大きいので、定常走行（全直列及び直並列）では余裕トルクは小さくてもよく、界磁をもっと弱めて（例えば３３％）それぞれ全界磁の上限速度の３倍速（全直列で７０〜７５km/h、直並列で１３０〜１５０km/h）まで増速可能である。
【０１３７】
なお、急勾配路を走行するときは、負荷に従い自動的に界磁を強め速度ｖを下げて全負荷電流ＩmfでのトルクＴf 以内の負荷で運転するが、後述の操作で１段上の電機子接続（直並列連続、全並列短時）のＴf 領域を使用し、あるいはその勾配路が短距離であれば、過負荷トルクＴd 領域で短時運転し速度ｖを下げずに走り抜けることができる。
【０１３８】
［運転サイクルでの電圧・電流］  図１１（ａ）において、運転サイクルでの電機子群及び単電機子の電圧Ｖm 、Ｖa 、充放電の電圧Ｖc 及び電子制御回路２７の蓄電回路２９側の電圧ＶL を示せば、運転Ａモードの定トルク加速▲１▼〜▲４▼においてＶL ＝Ｖc （一定）、▲１▼〜▲２▼ではＶm ＝４＊Ｖa 、▲２▼〜▲３▼ではＶm ＝２＊Ｖa 、▲３▼〜▲４▼ではＶm ＝Ｖa でそれぞれ鋸歯状、運転Ｍモード▲４▼〜▲５▼ではＶc ＝Ｖm （一定）、その垂下トルク加速▲４▼〜▲４▼d では全並列でＶm ＝Ｖa 、定常走行▲４▼d 〜▲５▼d では直並列でＶm ＝２＊Ｖa 、垂下トルク減速域▲５▼d 〜▲５▼及び定トルク減速域の▲５▼〜▲８▼では、それぞれ▲４▼〜▲４▼d 及び▲１▼〜▲４▼のものと同様であり、また、図１１（ｂ）において、各々の電流Ｉm 、Ｉa 、Ｉc 及びＩL は、前述の図９と同様である。
【０１３９】
単電機子の電圧Ｖa 、電流Ｉa 及び起電力Ｅa については、鎖線図示（但しＶa ＝Ｖm 及びＩa ＝Ｉm の領域では実線表示）のように、運転Ａモードの定トルク加速▲１▼〜▲４▼及び運転Ｂモードの定トルク減速▲５▼〜▲８▼ではＶa は速度ｖに比例して昇降し、単電機子の連続定格電圧をＶao＝Ｖt ／２として、全直列、直並列及び全並列のそれぞれ上限▲２▼・▲７▼、▲３▼・▲６▼及び▲４▼・▲５▼でＶa ＝Ｖao／２（半電圧）＝Ｖc ／４、Ｖa ＝Ｖao（全電圧）＝Ｖc ／２及びＶa ＝２＊Ｖao（倍電圧）＝Ｖc となり、Ｉa は突入過負荷の一定値をとり、運転Ｍモード▲４▼〜▲５▼では、垂下トルク加速▲４▼〜▲４▼d 及び減速▲５▼d 〜▲５▼でＶa ＝２＊Ｖao（倍電圧）の一定値、Ｉa は突入過負荷から速度ｖに反比例して減少、定常走行▲４▼d 〜▲５▼d ではＶa ＝Ｖao（全電圧）、Ｉa は定常走行負荷Ｐv に見合う値で軽少な値をとる。
【０１４０】
なお、電機子抵抗降下ｅa のため電機子起電力Ｅa は、図１１（ａ）に２点鎖線図示のように加速及び力行（定常走行）即ち電動ではＥa ＝Ｖa −ｅa 、減速及び抑速（降坂走行、図示省略）即ち回生ではＥa ＝Ｖa ＋ｅa となる。
【０１４１】
［運転サイクルでの電動機損失］  図１１（ｃ）において無負荷損失を代表する鉄損ｐmiは、主に界磁強さΦと回転数Ｎm （速度ｖ）との積即ち電機子起電力Ｅa の２乗に比例するので、全電圧定格の鉄損をｐriとすれば、定トルク域▲１▼〜▲４▼及び▲８▼〜▲５▼において、発進点▲１▼及び回生下限▲８▼ではｐmi＝０、全直列上限▲２▼及び▲７▼では半電圧でｐmi＝ｐri／４、直並列上限▲３▼及び▲６▼では全電圧でｐmi＝ｐri、全並列上限▲４▼及び▲５▼では倍電圧でｐmi＝４＊ｐri、垂下トルク域▲４▼〜▲４▼d 及び▲５▼〜▲５▼d においては界磁制御でＥa が倍電圧一定でｐmi＝４＊ｐri、定常走行▲４▼d 〜▲５▼d では直並列でΦ、ｖとも一定の全電圧でｐmi＝ｐriとなり、また、負荷損失を代表する銅損ｐmcは電機子電流Ｉa の２乗に比例するので、全負荷電流での銅損をｐrc負荷率をλとすればｐmc＝ｐrc＊λ＾2 、定トルク▲１▼〜▲４▼では突入過負荷（例えばλ＝２．５）でｐmcは大きく（６．２５＊ｐrc）、垂下トルク域▲４▼〜▲４▼d では速度ｖに反比例のＩa の２乗に反比例のｐmcとなり、定常走行▲４▼d 〜▲５▼d ではλは小さく（例えば半負荷）でｐmcは著しく小さく（ｐmc＝ｐrc／４）なる。
【０１４２】
電機子損失ｐm ＝ｐmi＋ｐmcは、全直列及び直並列ではｐmi＝＜ｐriのため殆どが銅損ｐmcであり、全並列においてｐmi＞ｐri、定トルク加・減速上限から垂下トルク域▲４▼〜▲４▼d 及び▲５▼d 〜▲５▼において鉄損ｐmiは最大値ｐmimax ＝４＊ｐriとなるがその発進▲１▼からの平均値は小さく、また、一般に電動機は、鉄芯材質の向上もあり、過負荷トルクが大きな鉄機械においてもｐri＜ｐrc（例えばｐri＝略々ｐrc／２）であり、倍電圧で全電圧定格の２倍の短時出力の割には、電機子損失ｐm の増加率ε＝ｐm4／ｐm3は小さく（例えば２５０％突入過負荷の場合ε＝１．２２）、加・減速が短時（１分程度）で終わるため電機子温度上昇をあまり増加させない。
【０１４３】
このように全並列の定トルク上限〜垂下トルク域では、電機子倍電圧のため、鉄損ｐmiは４＊ｐriに増すが、電機子電流Ｉa を全負荷値にとっても、全損失ｐms（点線図示）は、ｐri＝ｐrc／２とすれば、定格ｐr ＝ｐri＋ｐrcの２倍即ち全電圧定格での軸負荷１４０％（＝２＾1/2 ）相当の熱負荷のため、数分間の運転継続が可能、図１０に点線図示の負荷トルクＴf （短時）以内で１０ｋｍ程度の急勾配路を高速のまま走り抜けることができる。
【０１４４】
［電子制御回路の諸量］  図１２（ａ）において、電子制御回路１７の制御Ｃ２モードでの降圧チョッパ制御の主要素の回路を示せば、リアクトル８とコンデンサ１３はＬＣ平滑回路を形成し入力電圧Ｖc 、電流ＩL を受け、チョッパ９のｏｎ−ｏｆｆ作動で周波数ｆ、周期ｔ＝１／ｆ、通流幅ε＝ｔon／ｔの断続電流Ｉchを、リアクトル１０とダイオード１４で平滑な出力電圧Ｖm ＝ε＊Ｖc 、電流Ｉm ＝ＩL ／εに変換するが、リアクトル８、１０はそれぞれインダクタンスＬ1 、Ｌ2 及び巻線抵抗ｒL1、ｒL2を持ち、電流ＩL 、Ｉm で損失ｐL1、ｐL2を、ダイオード１４は通流幅（１−ε）の還流電流Ｉd ＝Ｉm で損失ｐd を、チョッパ９は後述の損失ｐchを、それぞれ生ずる。
【０１４５】
図１２（ｂ）において、制御Ｃ２モードでの昇圧チョッパ制御の主要素の回路を示せば、リアクトル８は、入力電圧Ｖm 、電流Ｉm を受け、チョッパ９のｏｎ−ｏｆｆ作動で上記と同様に１−ε＝ｔon／ｔの断続電流Ｉchで電圧Ｖc を誘起し、ダイオード１２の還流及び逆流阻止作用でコンデンサ１３に充電し、リアクトル１０を通って平滑な出力電圧Ｖc ＝Ｖm ／ε、電流Ｉc に変換するが、リアクトル８、１０はそれぞれ電流Ｉm 、Ｉc で損失ｐL1、ｐL2を、ダイオード１２は通流幅εの還流電流Ｉd ＝Ｉm で損失ｐd を、チョッパ９は下記の損失ｐchを、それぞれ生ずる。
【０１４６】
図１２（ｃ）において、チョッパ９の電圧Ｖch、電流Ｉchが上記の周波数ｆ、周期ｔ＝１／ｆ、通流率ε＝ｔon／ｔでｏｎ−ｏｆｆ作動するとき、まず、ｏｎ状態では正方向電圧降下ｅon＝約３Ｖ、電動・回生出力が小さい加速初期及び減速終期を除きε＝０．５〜１．０、回路電圧Ｖc ＝１５００Ｖとして、通流損失ｐonは、
降圧チョッパ制御ではＶch＝Ｖc
ｐon％＝ｅon／Ｖc ＊ε＝０．１〜０．２％
昇圧チョッパ制御ではＶch＝Ｖm ＝Ｖc ＊ε
ｐon％＝ｅon／Ｖc ＊（１−ε）／ε＝０．２〜０％
次に、ｏｎ、ｏｆｆ転流時（ｔson 、ｔsoff）にＶch、Ｉchとも直線的に変化するものと概括すれば、瞬時転流損失ｐtrはＶch＊Ｉch／（４＊1.57）＝Ｐch／6.28（近似正弦波であり平均値は波高値の１／1.57）、１周期あたりの転流損失ｐtrは、転流時間計ｔs ＝ｔson ＋ｔsoffとして、
降圧チョッパ制御ではＶch＝Ｖc 、Ｉch＝ＩL ／ε
昇圧チョッパ制御ではＶch＝Ｖc ＝Ｖm ／ε、Ｉch＝Ｉm
いずれもｐtr＝Ｐch／6.28＊ｔs ／ｔ＊１／ε
となり、作動周波数ｆ＝１０００Ｈｚとすればｔ＝１ｍｓ、ＧＴＯサイリスタ（Gate Turn-Off Thirister）の如き高速作動の制御素子では、ｔs ＝５０μｓ程度でありいずれもｐtr／Ｐch＝１．５９〜０ ．８０％
従ってチョッパ９の全損失ｐch（％）はｐonを加算し
降圧チョッパ制御ではｐch＝１．６９〜１．００％
昇圧チョッパ制御ではｐch＝１．７９〜０．８０％
となり、かなり高い周波数でも、制御素子の選定次第でその損失を充分局限できる。
【０１４７】
ダイオード１２、１４の正方向電圧降下ｅonは１．５Ｖ、損失ｐd ％＝ｅon／Ｖc ＝０．１％で無視して差し支えなく、リアクトル８、１０はｆ＝１０００Ｈｚの如き高い周波数では、小さいインダクタンスＬ1 、Ｌ2 で充分なリアクタンスＸL1＝ω＊Ｌ1 、ＸL2＝ω＊Ｌ2 （ω＝２＊π＊ｆ）が得られ、鉄芯材料を適切に選べば巻線抵抗ｒL1、ｒL2は極めて小さく製作でるので、チョッパ９に使用する制御素子との損失協調を考えながら、このような高い作動周波数ｆを選定するのが良い。
【０１４８】
入力リアクトル８は、昇圧チョッパ制御で充分な誘起電力効率を得るために、充分なＸL1と極めて小さいｒL1が重要であるが、出力リアクトル１０は、降圧チョッパ制御で電機子４１の損失増加を来さない範囲において、多少の脈動率を許容できるのでＸL2は多少下げてもよく、それだけｒL2もより小さくできる。
【０１４９】
［運転操作］  再び図４において、主幹制御器５２の運転操作レバー５３を０ノッチからいずれかの速段のノッチに進めると、全直列の微速緩発進し、所定の速段ノッチ（１、２、３）を選択して前に押すとそのノッチの終段（１ノッチでは全直列のまま、２ノッチでは直並列、３ノッチでは全並列）まで自動的に進段加速し、あるいは、後に引くと自動的に戻段減速、所定の速度ｖ（km/h）に達したとき、「中立」に戻すと、直並列（３ノッチ）や全直列（２ノッチ）に自動的に戻り、その時の速度ｖを制御装置（図示省略）が記憶し、その記憶速度ｖに合わせ定速制御して定常走行する。
【０１５０】
走行中に０ノッチに戻すと電動機回路３１は電機子４１、界磁４２とも無電圧、電気的損失（鉄損、銅損、励磁）ゼロ状態で惰行し、再び速段ノッチに進めると上記と同様、その時の速度ｖを記憶しその速度に定速制御する。
【０１５１】
操作レバー５３を引き続けると、全直列まで自動的に戻段減速し、回生ブレーキから発電ブレーキに移行して停止寸前の微速に至り、所定の位置で該操作レバーを０ノッチに戻しながら制動空気弁５６を操作して車輪ブレーキで停止する。
【０１５２】
制御装置の速度記憶機能は、微速ｖmin （例えば５km/h）〜最高運転速度ｖmax とし、停車（ｖ＝０）から速段ノッチに進めたとき、確実に且つ緩やかに微速発進させ、定常走行中は、軌道勾配による走行負荷の変動即ち電機子群電流Ｉm の正（＋）、負（−）に応じ、定トルク域では運転Ａ、Ｂモード及び制御Ｃ１、Ｃ２モードを自動的に切り替え、垂下トルク域では運転Ｍモードで界磁制御の特性的移行で切り替えなく、電動牽引・回生抑速の定速制御が作動する。
【０１５３】
なお、数分で走り抜ける距離の急勾配路では、操作レバー５３の頭部のボタン５４を押し全並列の強力な短時全負荷トルクＴf で、高速定常走行できる。
【０１５４】
図１０において、定常走行には、垂下トルク域即ち全直列で低・中速（２５〜７５km/h）、直並列で中・高速（５０〜１５０km/h）、全並列で短時高速（１００〜１５０km/h）を使用し、連結作業等の微速や危険区域の徐行には、全直列の定トルク域（２５km/h以下）を使用し、それぞれ垂下トルク域の下限近く（例えば全直列で３０km/h、直並列で６０km/h）までの加速やそこからの減速には、進段しても数秒で戻段となり、加・減速距離Ｓa 、Ｓb はあまり稼げないので、加速終期・減速初期に自動進・戻段しない速段（１ノッチや２ノッチ）を選ぶのがよい。
【０１５５】
なお、操作レバー５３の３ノッチでは、２ノッチの全直列と直並列と同様に、直並列と全並列の２段の加・減速として制御作動を単純化し、また、２ノッチの全直列で定常走行中に軌道勾配による負荷に応じボタン５４を押して直並列で走り抜けるよう関連制御回路を構成してもよい。
【０１５６】
［蓄電回路保護］  図２において、蓄電要素３４は、その蓄電原理からタイムラグなく内部抵抗ｒc が著しく小さいので、万一絶縁破壊等で内部短絡した場合、その短絡電流が非常に大きく該要素の破裂・出火に至るので、適当な単位容量に分割し、ヒューズ付き断路器３５で瞬時に故障蓄電要素３４を切り離す。
【０１５７】
［蓄電均圧］  均圧線３６で断路器３７を介して隣接の各蓄電単位３３を接続し、蓄電単位３３の間の容量不同による充・放電及び動力単位間の運転特性不同を防ぎ、上記の蓄電要素３４の故障あっても、支障無く運転を継続する
【０１５８】
［故障復旧］  故障蓄電要素３４を持つ蓄電単位３３において、断路器３２及びヒューズ付き断路器３５を全て開き、故障蓄電要素３４及び熔断ヒューズ３５を無電圧にして新替えし、車両基地備え付けの限流充電器（図示省略）で急速充電し、蓄電回路２９全体の蓄電電圧Ｖc に達したとき、全ヒューズ付き断路器３５を閉じ、あるいは、該蓄電単位３３の均圧線３６の断路器３７を開き、断路器３２及び新替えのヒューズ付き断路器３５を閉じ、電子制御回路１７の限流チョッパ制御で充電の上、全断路器３２、３７及びヒューズ付き断路器３５を閉じる。
【０１５９】
［補充電］  夜間休止時の自己放電による蓄電電圧低下には、電子制御回路１７の制御Ｃ１モードの限流チョッパ作動で受電し、補充電を行なう。
【０１６０】
［回生送出］  図１において、特に高落差の急勾配区間では、定常走行時に電力制御回路２７の接触器２４、２６を開き点線図示の接触器７５を閉じて「回生送出」に切り替え、降坂抑速の回生電力Ｐmbを、ダイオード７６及び受電回路５を経て、架線回路１に送出でき、その途中の部分的な平坦路で電動牽引に移行したときは、ダイオード７６で架線電力Ｐt の直接逆流入を阻止し、既述のダイオード６、接触器７、電子制御回路１７を経て受電・給電される。
【０１６１】
［過電圧回生］  運転Ｍモードの垂下トルク減速（▲５▼d 〜▲５▼）で回生直接充電の上、運転Ｂモードと制御Ｃ１モードで、直並列にて▲５▼〜▲６▼を、全直列にて▲６▼〜▲７▼を過電圧回生ブレーキとし、降圧チョッパ制御で定トルク減速が可能であり、その下限▲７▼に至って制御Ｃ１モードに替え前述の昇圧チョッパ制御の定トルク減速を行なうこともできる。
【０１６２】
過電圧回生ブレーキにおいては、入力リアクトル８はコンデンサ１２とともに平滑作用を為すのでそのＸL1はあまり重要でなく、また、出力リアクトル１０が還流ダイオード１４とともに最大倍電圧からの降圧変換を司るので脈流電流の平滑度が多少悪くなるが、蓄電回路２９の回路抵抗ｒc は極めて小さく損失ｐc の増加は殆どなく、リアクトル１０は半電流、銅損は４半値となり、制御電力効率ηL が向上する。
【０１６３】
［電子制御回路別案］  図１３において主・副接触器１５、１６を１個づつ増設し、図１のリアクトル１０の還流ダイオード１４と、負極線１１との間に接触器１５を、リアクトル８との間に接触器１６をそれぞれ配して制御Ｃ２モードでリアクトル８の還流ダイオード１２を兼用することができ、その場合は、図１のダイオード１２、１４と同じ接続でダイオード８７、８８を配し、バリスタ１８、１９とともに、制御モードＣ１、Ｃ２切り替え時の接触器１５、１６の開路においてリアクトル８、１０から発生する過渡サージエネルギを吸収する閉回路を形成する。
【０１６４】
ダイオード８７、８８は、リアクトル８、１０の過渡サージエネルギ吸収のみを司るので小容量のものでよく、還流電流を持つ電力仕様のダイオード１２、１４を共通１個で済ませるので、動力単位容量が大きい場合には経済的である。
【０１６５】
［同期機使用の無整流子電動機］  図１４（ａ）において、図１の電動機回路３１に無整流子電動機を使用した場合について、２組の静止整流子８９をサイリスタの３相ブリッジ形インバータ９０、リアクトル９１及び還流ダイオードの３相ブリッジ９２でそれぞれ構成し、直・並列切り替え接触器９３、９４を配して他の２組（図示省略）と並列に接続し、それぞれＹ−Δ切り替え接触器９５、９６を介して同期電動機９７の電機子９８に接続、回転界磁９９は図３で説明した如く正・逆転切り替え接触器４８、４９を介してチョッパ５０で励磁制御し、軸端に配した分配器１００で電機子９８の位相を検知し、サイリスタゲート制御装置（図示省略）を介してインバータ９０にゲートパルスを与え整流子作用で電動作動し、還流ダイオードブリッジ９２で回生電力を電動と同一電圧極性で取り出す。
【０１６６】
Ｙ直列、Ｙ並列及びΔ並列の３段切り替えを行ない、Ｙ直列で全電圧連続定格、Δ並列で1.732 倍電圧短時定格とし、図３に示した直流整流子電動機４台の全直列、直並列及び全並列と同様な特性と作動で定トルク域を高速側に1.732 倍に拡大して、高速運転での加・減速距離を著しく短縮し、高速運転ではＹ並列に、中速運転ではＹ直列に戻し、軽負荷の定常走行において、効率を稼ぐ。
【０１６７】
なお、Ｙ−Δ切り替えに伴い、電機子９８の電気的位相がφ＝３０度転移するので、分配器１００またはゲートパルスの位相を転移し、負荷や界磁強さに応じ電気子反作用を相殺するようゲートパルスの位相を自動的に調整する機構を付加する。
【０１６８】
図１４（ｂ）において、上記と同様の回路を、１電機子に位相差ψ＝３０度を持つ２組の巻線９８に接続し、電動機毎にＹ直列、Ｙ並列及びΔ並列の３段切り替えを行ない、恰も１２相交流から得た直流の如く、脈動が極めて小さい軸トルクが得られるので、車輪の粘着性能を要求される電気機関車に使用するのがよい。
【０１６９】
［誘導機使用の無整流子電動機］  上述と同様に図１４において、静止整流器８９のインバータ９０を共通の周波数発生回路（図示省略）で制御して可変周波数の３相交流に変換し、電動機９７を誘導機に替えて無整流子電動機（界磁９９及び分配器１００は無し）とし、Ｙ直列で全電圧連続定格、Δ並列で1.732 倍電圧短時定格を与え、界磁制御の代わりに周波数制御で上述と同様なトルク特性が得られ、還流ダイオードブリッジ９２で回生電力を電動と同一の電圧極性で取り出すことができる。
【０１７０】
電動機の各々接続について、電圧Ｖa ・周波数ｆとも可変の定トルク域とＶa 一定でｆ可変の垂下トルク域を有し、垂下トルク域では、速度ｖに反比例即ち定出力の全負荷トルクＴf 及び速度ｖの２乗に反比例の過負荷トルクＴd の特性であり、前述の直流整流子電動機及び上述の同期機使用の直流無整流子電動機と同様に扱うことができる。
【０１７１】
なお、この誘導機方式では、電機子位相はインバータ位相とは無関係のため、複数の電動機を共通のインバータと組み合わせてもよく、例えば動力単位毎に電力制御回路２７とともに１組のインバータを配し、４台の電動機の各々にＹ−Δ切り替え回路を付して並列接続するのがよい。
【０１７２】
［交流または交・直両用車両］  交流架線や交・直流両区間を運行の車両は、図１５（ａ）の如く、変圧整流器１０１を受電回路に配し、整流器１０３を平滑リアクトル（架線周波数脈流用）１０４を配して、直流受電の受電ダイオード６とともに、受電接触器７を介し運転制御回路２７に接続し、なお、変圧器１０２にはタップ１０５を配し、勾配路運行における蓄電電圧Ｐc の昇降に協調し、受電電圧Ｖt （直流側）を調整でき、なお、前述の如く加・減速時の突入過負荷を蓄電回路２９が受け持つので、変圧整流器１０１は軽債務のものでよい。
【０１７３】
［気電動車両］  図１５（ｂ）の如く、付随車の床下や機関車室内にディーゼルエンジンやガスタービン等１０７を原動機とする発電整流器１０６を配し、その整流器１０９（３相ブリッジ形）を平滑リアクトル１１０を上記と同様に受電接触器７を介し運転制御回路２７に接続し、また、発電機１０８には、電機子巻線のＹ−Δ切り替えあるいは図１４（ｂ）の如き電機子２巻線の整流器の直・並列切り替えを併用（Ｙ直列・Ｙ並列・Δ並列）して、負荷に見合うエンジン回転数と電機子接続と界磁制御により、低速から高速に至る全回転数域において発電効率を稼ぎ、勾配負荷で充放電に伴う蓄電電圧Ｖc の変動に協調して発電・給電し、勾配路運転においても、発電機負荷を定常走行負荷に近い値により軽減・平準化し、軽債務にすることができる。
【０１７４】
【発明の効果】
一般に車両は、自重ｍが走行抵抗Ｆv より遥かに大きいため（前述の表２及び表３に示す例では、ｍ／Ｆv ＝（４６＋４０）／（０．１０７〜０．７８６）＝８０３〜１０９）、慣性抵抗Ｆi 及び勾配抵抗Ｆs が牽引・制動力の大部分を占めるので、本発明においては、それ等が為す大きな運動のエネルギＷi と位置のエネルギＷs を、駅間の加・減速を伴う運転サイクルや運行区間の登・降坂を伴う往復サイクル毎に正・負相殺される無効動力（交流回路のリアクタンスｘが為す無効電力に比喩）と考え、エネルギ可逆性を持つ電動機４１と充放電機能を持つ蓄電要素３４とで処理し、常に正（＋）の値をとる走行抵抗Ｆv が為す負荷Ｐv を実効動力（交流回路の導体抵抗ｒが為す有効電力に比喩）と考え、無効動力の処理に伴う電動機、蓄電及び制御回路の電力損失とともに、架線１からの受電電力Ｐt で賄うことにより、従来の車両が車輪ブレーキや発電ブレーキで熱エネルギに戻して大気中に放散している無効動力の負（−）の部分を回生電力Ｐm として蓄電要素に充電・回収し、受電電力Ｐt とともに後続の正（＋）の部分に活用し、電力消費量を半減することを可能にするとともに、下記の改善を伴うものである。
【０１７５】
電動機負荷Ｐm の大部分を占める慣性抵抗負荷Ｐi ＝Ｐm ±Ｐv を車両内の蓄電要素３４で処理するため、架線回路１の負荷Ｐt は大幅に軽減・平準化され且つ電力流が一方向となるので、架線回路１の電力損失ｐt 及び債務が著しく軽減され、変電所７９の給電区間の拡大や給電線銅量の節減とともに、直流から交流への逆変換機能が不要となり、関連の電力系統へもその好影響が及ぶ。
【０１７６】
慣性抵抗負荷Ｗi を効率良く車両内処理することにより、高加・減速度運転のための動力強化は、車両内設備だけで済み、架線１及び変電所７９への影響が軽微のため、電動機の短時倍電圧（倍出力）定格のように、大幅なものが可能となる。
【０１７７】
電動機の倍電圧短時定格の付加は、寸法、構造及び強度の増大なく、電機子絶縁及び整流子の強化で済み、発電ブレーキ採用に伴い既に実施されており、本発明では、それを電機子群の直列接続で基本定格の全電圧連続定格のものを並列接続で付属定格の倍電圧短時定格としたもので、全界磁で強力且つ効率の良い定トルク域を高速側に倍増（例えば５０km/hから１００km/hに）し、電動機の機・電両面の設計を変えずに高速域の加・減速度を著しく向上して低・中速域と同等にし、乗客の加速度感を増さずに、加・減速距離を著しく短縮して駅間の運転速度ｖを高め、運行効率を向上する。
【０１７８】
上記の倍電圧短時定格を使用しない場合について、運転サイクルでの諸量の挙動を表６に計算値を示し全述の表３と比較すれば、加・減速に倍電圧短時定格の使用により、定トルク域の加・減速度αc βc を増さずに、より短い駅間距離で同じ平均速度ｖavを得ており、その効果は高速運転で著しい（ｖ＝１００〜１４０km/hでＳ＝８０〜５０％）ので、車両の運行効率向上に留まらず各駅停車と急行との運転協調に頗る好都合である。
【０１７９】
【表６】
0004200512.tif 000007
【０１８０】
全並列倍電圧（高速）あるいは直並列全電圧（中速）の定トルク域、またはそれを幾らか超える垂下トルク域の強力なトルクで加・減速し、所定の速度ｖで直並列全電圧（高速）あるいは全直列半電圧（中速）に戻段した定常走行で、鉄損、銅損及び励磁電力を低減して軽負荷での効率を稼ぎ、また、進段すれば強力なトルクで確実な加・減速ができるので、定常走行での余裕トルクは小さくてもよく、従来の限度（一般に４０％Φ）を超えた弱め界磁で、定常走行速度域を更に高速側に拡大（例えば３３％Φで１５０km/h）できる。
【０１８１】
倍電圧運転では、無負荷損失を為す電機子鉄損が速度の２乗に比例して増し、その定トルク域上限では基本定格のものの４倍（無整流子電動機では３倍）で全負荷銅損をかなり上回る超鉄機械状態になるが、突入過負荷の銅損に比べると遥かに小さいので、倍出力の割には全損失はあまり増加せず、短時（垂下トルク域含み１分以下）のため熱的には問題なく、また、全負荷電流で数分程度の短時運転も可能のため、通常の標高差の急勾配路ならば高速のまま走り抜けることができ、運行効率上頗る好都合である。
【０１８２】
架線や変電所等の故障で停電に際しても、蓄電電力で運転継続できるので、長時間の停電復旧を待たず現場状況の視認や故障状況を通信確認の上、低・中速で徐行運転して故障区間を脱出し、健全区間で速やかに受電・補充電して平常運転を再開でき、運行上頗る好都合である。
【０１８３】
電子制御回路１７の主要素を成す１個のチョッパ９、２個のリアクトル８、１０、コンデンサ１３及びダイオード１２、１３を接触器で切り替えて降圧・昇圧チョッパ制御の両方に兼用し、接触器ブリッジで定トルク加速（運転Ａモード）、減速（運転Ｂモード）及び垂下トルク加・減速及び定常走行（Ｍモード）の切り替え、前２者ではチョッパ制御の電機子制御を短時間（１５〜３０秒）に行ない、後者では蓄電回路２９と電動機回路３１との間で直接即ち制御損失なく電力の授受を行ない且つ電子制御回路１７は平準化された受電電力Ｐt の無制御通流となるので頗る軽債務である。
【０１８４】
電子制御回路１７の入・出力とも電流は平滑で波形率は１．０であり、架線回路１、蓄電回路２９、電動機回路３１のいずれにもチョッパ９の断続電流による損失増加を来さず、また、受電電力Ｐt は常に電子制御回路１７を通り、そのろ波作用でチョッパ９の断続電流は勿論、電機子４１の整流子（無整流子電動機では静止整流子８９）が発生するノイズ電流も抑えられ、通信線誘導障害を防ぐ。
【０１８５】
上述の無効動力処理において、電力損失は、電動機回路３１だけでなく、電力制御及び蓄電の各回路２７、２９においても不可避であり、それが電動・回生での往復で生ずるので、その低減は重要であり下記の如く実現するものである。
【０１８６】
電力制御の要部を成す電子制御回路１７は、チョッパ９の主要制御素子ののサイリスタ及び還流ダイオード１２、１４の通流電圧降下は架線電圧に対し極めて小さく、作動周波数ｆ（Hz）を適切（例えばｆ＝１０００Ｈｚ）に選べばチョッパ９の転流損失、平滑コンデンサの誘電損失及びリアクトル８、１０の鉄損・銅損等を含む作動損失を電動機の全損失より遥かに低減且つ車載用として小形軽量に製作が可能である。
【０１８７】
蓄電要素３４は、高頻度に繰り返す突入過負荷電流や数分の急速充放電に対して、即応的且つ損失が極めて小さく劣化しない静電式の蓄電器が最適であり、そのような機能は、短時倍電圧倍出力を含み、基本定格全負荷の数倍の突入過負荷においても、それを蓄電回路２９に集中して車両内処理を可能にする、本発明の実現の鍵となるものである。
【０１８８】
そのような即応的且つ低損失の蓄電要素は、万一の絶縁破壊あると瞬時短絡電流が極めて大きいので、出火・破裂の危険防止として、単位容量を局限し複数の蓄電要素をヒューズ付き断路器を介して並列接続且つ単位編成の全蓄電単位を均圧線と断路器で接続し、故障要素の瞬時切り離しで支障無く運転を継続し、新替え及び充電復旧が簡単且つ安全に実施可能にする。
【０１８９】
蓄電単位３３の蓄電容量Ｗc は、架線電圧Ｖt での浮動充電且つ車両の運動・位置のエネルギを許容電圧昇・降値δＶの範囲で充・放電処理可能のもの、例えば前述の表５に示す充放電力量（Ｗci＋Ｗcs）に余裕を見て充放電容量Ｗcmax＝１８０ＭＪ、これは３３ＡＨの小形乗用車用１２Ｖ鉛蓄電池の１２５個直列（重量は合計２ton 程度）に相当のものでよく、蓄電池機関車や電気自動車の如き充電毎の走行距離や稼動時間に見合う如き大容量を要しないので、小形・軽量の蓄電要素３４の実現は充分可能と考える。
【０１９０】
なお、超低温の超伝導方式による蓄電装置も可能であるが、蓄電原理が静電的且つ常温で作動する静止機器の大容量蓄電器は、上述の如き高効率の急速充放電及び浮動充電特性を持ち保守容易、車載用として最適であり、低圧のもの（例えば１２０Ｖ、１００Ｆ級）は既に実現し、電気自動車等の電源に試用されているが、本発明が対象とする架線電圧のもの（１５００Ｖ、蓄電単位に約１００Ｆ）についても原理的には実現可能であり、本発明の効果に鑑み関連科学技術の進歩を促し、そのような蓄電要素の速やかな実現を切望する。
【０１９１】
運転操作は、左右・前後交叉動の操作レバー５３をいずれかの運転ノッチ（１、２、３）に進めると微速発進し、前に押せば加速、後に引けば減速、所定の速度ｖに達した時中立に戻せばその速度ｖで定速の運転となり、軌道勾配に応じ界磁制御の定速制御機構が働き特性的自動的に電動・回生に対応し、０ノッチに戻せば惰行、停止前の微速まで全てを操作レバー５３で電気的に行ない、停車のみ制動空気弁５６を使用すればよく、頗る操作簡単である。
【０１９２】
操作レバー５３は、前押し（加速）では自力戻り、後引き（減速）では手戻しの機構を有するので、運転士の睡魔等で手を離せば加速は進まず、減速は微速まで続き、また、その操作時間即ち加・減速時間は前述の表３に示す１５〜５４秒の如き短時間であり、疲労防止及び安全上誠に好都合である。
【０１９３】
微速までの減速も操作レバー５３で電気的に行なうので、車輪ブレーキの債務及び損耗は極めて軽少、制動空気弁５５による車輪ブレーキ系統は動力制御系統とは独立で簡潔である。
【１９４】
受電回路に変圧整流器を配せば、交流電化区間や交・直流両区間の運行が、あるいはエンジン駆動の発電整流器を配せば、非電化区間の運行が、高加・減速度で以て可能、架線及び変圧整流器あるいは発電整流器は軽債務であり、鉄道全体のエネルギ効率及び運行効率を著しく高めることができる。
【０１９５】
上述の如く、本発明は、直流整流子電動機の分巻界磁或いは誘導機使用の直流無整流子電動機のインバータ（ダイオードブリッジ併設）で正・負ほぼ対称のトルク特性と電機子又は電機子巻線接続切替での倍電圧により、電動・回生とも定トルク域を含む強力なトルク域を倍速度に拡張し、全速度域で電動加速・回生減速とも強力なトルク且つ同様な制御方法（定トルク域は降・昇圧チョッパ或いは降・昇圧チョッパとインバータによる電機子制御、垂下トルク域は励磁チョッパ或いはインバータ周波数による界磁制御）で簡潔な制御回路と簡易な全電気的運転操作及び高加・減速度の運転性能を実現、なお、回生ブレーキは常用ブレーキとして充分な制動トルクを持ち、車両内に設置の蓄電装置に全回生電力を充電回収可能且つ架線負荷を平準化・軽減した、電動車両の動力装置の電動機制御装置を提供する。
【図面の簡単な説明】
【図１】実施例について、全体の電力系統を示す電気回路図である。
【図２】実施例について、蓄電回路の電気回路図である。
【図３】実施例について、電動機回路の電気回路図である。
【図４】実施例について、運転操作機器を示す姿図である。
【図５】実施例について、全体の電力系統について等価回路を示す。
【図６】蓄電要素の電圧と電気量及び電力量との関係を示す蓄電特性線図である。
【図７】実施例について、車両の駅間の運転サイクルにおいて、横軸に時間及び距離をとって、慣性抵抗に係る諸量の挙動を示す線図であり、（ａ）は走行速度・抵抗等の如き機械的諸量を示し、（ｂ）は電圧・電流等の電気的諸量を示す。
【図８】実施例について、車両の勾配路の運行において、勾配抵抗に係る諸量の挙動を示す線図であり、（ａ）は登・降坂サイクルを、（ｂ）は牽引力・制動力等の機械的諸量を、（ｃ）は電動・回生、放・充電等の電気的諸量を、（ｄ）は蓄電電圧を、（ｅ）は受電電力について、それぞれ示す。
【図９】実施例について、走行速度と電気子電流及び界磁磁束との関係を示す電動機の特性線図である。
【図１０】実施例について、走行速度と電動機トルク及び各勾配の走行抵抗トルクとの関係を示す電動機及び負荷の特性線図である。
【図１１】実施例について、車両の駅間の運転サイクルにおいて、電圧・電流及び損失の挙動を示す線図である。
【図１２】実施例について、電子制御回路の主要素及び制御特性を示し、（ａ）は降圧チョッパ制御の、（ｂ）は昇圧チョッパ制御の、それぞれ主要素回路図、（ｃ）はチョッパ作動の１周期において電圧・電流及び損失の挙動を示す線図である。
【図１３】実施例について、電子制御回路の別案を示す回路図である。
【図１４】  実施例について、電動機回路に直流無整流子電動機を使用する場合の電気回路図であり、同期機使用の直流無整流子電動機の場合を示し、誘導機使用の直流無整流子電動機の場合は、符号９７を誘導機とし符号９９、１００を除く。
【図１５】本発明の、他の電源方式への応用例において、（ａ）は交流架線の場合で変圧整流器を含む受電回路を示し、（ｂ）は気電動車両の場合で、発電整流器を含む電源回路を示す電気回路図である。
【符号の説明】
１  架線、架線回路
２  集電子
３  車間給電線
４  高速回路遮断器
５  受電回路
６、１２、１４  ダイオード
７、１５、１６、２３、２４、２５、２６  接触器
８、１０  リアクトル
９  チョッパ
１１  負極線
１３、７９  コンデンサ
１７  電子制御回路
１８、１９  バリスタ
２０  車軸集電子
２１  車輪、車軸
２２  軌道
２７  運転制御回路
２８、３０  高速回路遮断器
２９  蓄電回路
３１  電動機回路
３２、３７  断路器
３３  蓄電単位
３４  蓄電要素
３５  ヒューズ付き断路器
３６  均圧線
３８、３９  ジャンパ線
４０  欠番
４１  電機子、電動機
４２  界磁
４３  補極
４４、４５、４６、４７、４８、４９  接触器
５０  チョッパ（励磁制御用）
５１  還流ダイオード
５２  主幹制御器
５３  操作レバー、運転操作レバー
５４  ボタン
５５  切り替えレバー
５６  制動空気弁
５７  速度計
５８  受電・蓄電電圧計
５９  受電・蓄電電流計
６０  電動機電流計
６１  制動空気圧計
６２  インバータ
６３  整流器
６４  蓄電池
６５、６６、６７  電圧センサ
６８、６９、７０、７１、７２、  電流センサ
７３  速度センサ
７４  蓄電装置（架線回路用）
７５  接触器（回生送出用）
７６  ダイオード（同上用）
７７  リアクトル（ノイズ電流消去用）
７８  コンデンサ（同上用）
７９  変電所
８０  車両
８１、８４  平坦路
８２、８５  登坂路
８３、８６  降坂路
８７、８８  ダイオード（過渡サージエネルギ吸収用）
８９  静止整流子
９０  インバータ
９１  リアクトル
９２  コンバータ
９３、９４、９５、９６  接触器
９７  同期機、誘導機
９８  電機子巻線
９９  界磁
１００  分配器
１０１  変圧整流器
１０２  変圧器
１０３、１０９  整流器
１０４、１１０  平滑リアクトル
１０５  タップ
１０６  発電整流器
１０７  エンジン
１０８  発電機
［動力関係諸量の符号］
Ｖt   架線電圧、受電電圧
Ｖc   蓄電回路電圧、蓄電電圧
Ｖm   電動機回路電圧、電機子群電圧
Ｖa   単電機子電圧
Ｉt   架線電流、受電電流
Ｉc   充・放電電流
Ｉm   電動機回路電流、電機子群電流
Ｉa   単電機子電流
Ｅs   変電所無負荷電圧
Ｅc   蓄電電圧
Ｅm   電機子群起電力
Ｅa   単電機子起電力
ｅz   変電所電圧降下
ｅt   架線電圧降下
ｅL   電子制御回路電圧降下
ｅc   蓄電回路電圧降下
ｅm   電動機回路電圧降下、電機子群電圧降下
ｅa   単電機子電圧降下
ｘs   変電所回路リアクタンス
ｒs   変電所回路抵抗
ｒt   架線抵抗
ｒL   電子制御回路抵抗
ｒc   蓄電回路抵抗
ｒm   電動機回路抵抗、電機子群抵抗
ｒa   単電機子抵抗
Ｑ    電気量
Ｗ    電力量
δＥ  蓄電電圧昇降値、蓄電電圧変動値
Ｅo   定格蓄電電圧
Ｅco  蓄電電圧中央値
Ｃ    静電容量
Ｑo   定格電気量
Ｗo   定格電力量
δＷ  充放電電力量
Ｗc   充放電電力量（平均）
ｔ    運転サイクル時間
ｔa   加速時間、電動・放電時間
ｔac  定トルク加速時間
ｔad  垂下トルク加速時間
ｔv   定常走行時間、補充電時間
ｔt   架線電力受電時間
ｔb   減速時間、回生・充電時間
ｔbd  垂下トルク減速時間
ｔbc  定トルク減速時間
ｔw   車輪ブレーキ時間
ｔs   停車時間
Ｓ    駅間距離
Ｓa   加速距離
Ｓv   定常走行距離
Ｓb   減速距離
Ｓw   車輪ブレーキ距離
αc   定トルク加速度
αd   垂下トルク加速度
βd   垂下トルク減速度
βc   定トルク減速度
ｖ    走行速度、運転速度
ｖac  定トルク加速上限速度
ｖbc  垂下トルク減速下限速度
ｖw   回生ブレーキ下限速度
Ｆa   牽引力
Ｆia  慣性抵抗（加速）
Ｆv   走行抵抗
Ｆb   制動力
Ｆib  慣性抵抗（減速）
Ｗi   慣性エネルギ、運動のエネルギ
Ｗia  慣性仕事量（加速）
Ｗib  慣性仕事量（減速）
Ｗa   加速仕事量
Ｗvv  定常走行仕事量
Ｗb   減速仕事量
Ｗw   車輪ブレーキ仕事量
Ｗva  走行抵抗仕事量（加速）
Ｗvb  走行抵抗仕事量（減速）
Ｗv   実効動力仕事量
Ｖt   架線電圧、受電電圧
Ｖc   蓄電電圧
δＶ  蓄電電圧昇降値
δＶi   蓄電電圧昇降値（慣性抵抗分）
δＶs   蓄電電圧昇降値（勾配抵抗分）
Ｗci  充放電電力量（慣性抵抗分）
Ｗcs  充放電電力量（勾配抵抗分）
Ｐm   電動機出力、電動・回生負荷
Ｐma  電動電力（加速、力行）
Ｐmv  電動電力（定常走行）
Ｐmb  回生電力（減速、抑速）
Ｐc   充・放電電力
Ｐt   受電電力
Ｗma  加速電動電力量
Ｗta  加速受電電力量
Ｗca  加速放電電力量
Ｗmv  定常走行電動電力量
Ｗcv  定常走行補充電電力量
Ｗtv  定常走行受電電力
Ｗmb  減速回生電力量
Ｗcb  減速充電電力量
ＩL   入力リアクトル電流（加速）、出力リアクトル電流（減速）
Ｉmf  全負荷電機子群電流
Ｉaf  全負荷単電機子電流
Φf   界磁全磁束
Φc   界磁制御磁束
Ｔ    電動機トルク
Ｔm   最大トルク
Ｔd   垂下トルク
Ｔf   全負荷トルク、定格トルク
ｓ    軌道勾配（o/oo）
α    加速度
β    減速度
Ｖao  定格電機子電圧
ｐri  定格電機子鉄損
ｐrc  定格電機子銅損
λ    負荷率
ｐmi  電機子鉄損
ｐmc  電機子銅損
ｐm   電機子全損失
ｐm2、ｐm7      電機子全損失（全直列、加・減速）
ｐm3、ｐm6      電機子全損失（直並列、加・減速）
ｐm4、ｐm4      電機子全損失（全並列、加・減速）
ｐm4d 、ｐm5d   電機子全損失（全並列、加速終期・減速開始）
ｐmv    電機子全損失（直並列・定常走行）
ｐms    電機子全損失（全並列・短時定常走行）
Ｖch    チョッパ電圧
Ｉch    チョッパ電流
ｆ      作動周波数
ｔ      作動周期
ｔon    通流幅
ｔoff   遮断幅
ε      昇・降圧制御率
ｔs     転流時間
ｔson   オン転流時間
ｔsoff  オフ転流時間
Ｉd     還流ダイオード電流
ｐtr    転流損失
ｐon    順電力損失
Ｌ1     インダクタンス
Ｌ2     インダクタンス
ｘ      リアクタンス
ｒL1    巻線抵抗
ｒL2    巻線抵抗
ｐL1    リアクトル損失
ｐL2    リアクトル損失
【図１】
0004200512.tif 000008
【図２】
0004200512.tif 000009
【図３】
0004200512.tif 000010
【図４】
0004200512.tif 000011
【図５】
0004200512.tif 000012
【図６】
0004200512.tif 000013
【図７】
0004200512.tif 000014
【図８】
0004200512.tif 000015
【図９】
0004200512.tif 000016
【図１０】
0004200512.tif 000017
【図１１】
0004200512.tif 000018
【図１２】
0004200512.tif 000019
【図１３】
0004200512.tif 000020
【図１４】
0004200512.tif 000021
【図１５】
0004200512.tif 000022